(57)【要約】  キャリアエクステンションで通信をサポートする技術が記載されている。ある設計では、ユーザ機器（ＵＥ）が通信に使用することのできるベースキャリアおよび少なくとも一つのセグメントが確定される。ＵＥ用の少なくとも一つの作動パラメータがベースキャリアと少なくとも一つのセグメントとの複合帯域幅に基づいて確定される。作動パラメータには、ダウンリンクのリソース割り当てに用いられるリソースブロックグループ（ＲＢＧ）サイズおよびビットマップの両者または一方、ダウンリンクで周波数ホッピングを伴うリソースの割り当てに用いられるギャップ、アップリンクで周波数ホッピングを伴うリソースの割り当てに用いられる幾つかのホッピングビット、チャネル品質インジケータ（ＣＱＩ）の報告に用いられる幾つかの帯域幅要素およびサブバンドサイズの両者または一方、サウンディングリファレンスシグナル（ＳＲＳ）帯域幅およびアップリンクでのＳＲＳ送信のためのＳＲＳ設定、その他の作動パラメータの全てまたはいずれかが含まれる。【選択図】図６
2013515452.tif 000002
【特許請求の範囲】
【請求項１】
ユーザ機器（ＵＥ）にとって通信に利用可能なベースキャリアと少なくとも一つのセグメントとを確定すること、
前記ベースキャリアと前記少なくとも一つのセグメントとの複合帯域幅に基づいて前記ＵＥ用の少なくとも一つの作動パラメータを確定すること、
前記ＵＥ用の前記少なくとも一つの作動パラメータに基づいて通信すること
を含む無線通信のための方法。
【請求項２】
前記ベースキャリアの帯域幅に基づいてリソースブロックグループ（ＲＢＧ）サイズを確定すること、
前記複合帯域幅と前記ＲＢＧサイズとに基づいてビットマップを確定すること、ここで前記少なくとも一つの作動パラメータが前記ビットマップを含んでおり、
前記ビットマップに基づいて前記ＵＥに割り当てられるリソースブロックを確定すること
をさらに含む請求項１の方法。
【請求項３】
前記複合帯域幅に基づいてリソースブロックグループ（ＲＢＧ）サイズを確定すること、ここで前記少なくとも一つの作動パラメータが前記ＲＢＧサイズを含んでおり、
前記ＲＢＧサイズに基づいて前記ＵＥに割り当てられるリソースブロックを確定すること
をさらに含む請求項１の方法。
【請求項４】
前記ベースキャリアの帯域幅に基づいて第一リソースブロックグループ（ＲＢＧ）サイズを確定すること、
前記複合帯域幅に基づいて第二ＲＢＧサイズを確定すること、ここで前記少なくとも一つの作動パラメータが前記第二ＲＢＧサイズを含んでおり、
前記第一ＲＢＧサイズに基づいて前記ＵＥに割り当てられる前記ベースキャリアのリソースブロックを確定すること、
前記第二ＲＢＧサイズに基づいて前記ＵＥに割り当てられる前記少なくとも一つのセグメントのリソースブロックを確定すること
をさらに含む請求項１の方法。
【請求項５】
前記第二ＲＢＧサイズが前記第一ＲＢＧサイズの整数倍数である請求項４の方法。
【請求項６】
前記複合帯域幅に基づいてギャップを確定すること、ここで前記少なくとも一つの作動パラメータが前記ギャップを含んでおり、
前記ＵＥに割り当てられる一組の仮想リソースブロック（ＶＲＢｓ）を確定すること、
前記ギャップに基づいて前記一組のＶＲＢｓを一組の物理リソースブロック（ＰＲＢｓ）にマッピングすること
をさらに含む請求項１の方法。
【請求項７】
前記ベースキャリアの帯域幅に基づいて第一ギャップを確定すること、
前記複合帯域幅に基づいて第二ギャップを確定すること、ここで前記少なくとも一つの作動パラメータが前記第二ギャップを含んでおり、
前記第一ギャップに基づいて仮想リソースブロック（ＶＲＢｓ）を前記ベースキャリアの物理リソースブロック（ＰＲＢｓ）にマッピングすること、
前記第二ギャップに基づいてＶＲＢｓを前記少なくとも一つのセグメントのＰＲＢｓにマッピングすること
をさらに含む請求項１の方法。
【請求項８】
前記ベースキャリアの帯域幅に基づいて第一ギャップを確定すること、
前記複合帯域幅に基づいて第二ギャップを確定すること、ここで前記第二ギャップが前記第一ギャップの整数倍数であり、前記少なくとも一つの作動パラメータが前記第二ギャップを含んでおり、
前記第二ギャップに基づいて仮想リソースブロック（ＶＲＢｓ）を物理リソースブロック（ＰＲＢｓ）にマッピングすること
をさらに含む請求項１の方法。
【請求項９】
前記ベースキャリアおよび前記少なくとも一つのセグメントがアップリンク用であり、前記方法が
前記アップリンク用の前記複合帯域幅に基づいてダウンリンク用の物理ＨＡＲＱインジケータチャネル（ＰＨＩＣＨ）のリソースを確定することをさらに含んでいる請求項１の方法。
【請求項１０】
前記ベースキャリアおよび前記少なくとも一つのセグメントがダウンリンク用であり、前記方法が
前記ベースキャリアで送信された物理ダウンリンク制御チャネル（ＰＤＣＣＨ）からダウンリンクの許可を受信すること、
前記ＰＤＣＣＨの送信に用いられた第一制御チャネル要素（ＣＣＥ）を確定すること、
確認通知（ＡＣＫ）情報をアップリンクで送信するためのリソースを前記第一ＣＣＥに基づいて確定すること
をさらに含んでいる請求項１の方法。
【請求項１１】
前記ベースキャリアのリソースのために前記ベースキャリア内で周波数ホッピングを行うこと、
前記少なくとも一つのセグメントのリソースのために前記少なくとも一つのセグメント内で周波数ホッピングを行うこと
をさらに含んでいる請求項１の方法。
【請求項１２】
少なくとも一つの周波数ホッピングモードを前記ＵＥにシグナリングするために幾つかのホッピングビットを前記複合帯域幅に基づいて確定することをさらに含んでいて、ここで前記少なくとも一つのパラメータが前記幾つかのホッピングビットを含んでいる請求項１の方法。
【請求項１３】
前記ベースキャリア用の第一周波数ホッピングモードを前記ホッピングビットの少なくとも第一部分集合に基づいて確定すること、
前記少なくとも一つのセグメント用の第二周波数ホッピングモードを前記ホッピングビットの少なくとも第二部分集合に基づいて確定すること
をさらに含む請求項１２の方法。
【請求項１４】
周波数ホッピングモードを前記ＵＥにシグナリングする少なくとも一つのホッピングビットを受信すること、ここでホッピングビットの数は前記ベースキャリアの帯域幅に基づいて定まり、
前記少なくとも一つのホッピングビットに基づいて前記ベースキャリア用の第一周波数ホッピングモードを確定すること
前記少なくとも一つのホッピングビットに基づいて前記少なくとも一つのセグメント用の第二周波数ホッピングモードを確定すること
をさらに含む請求項１の方法。
【請求項１５】
前記複合帯域幅に基づいてサブバンドサイズを確定すること、ここで前記少なくとも一つの作動パラメータが前記サブバンドサイズを含んでおり、
前記サブバンドサイズのサブバンドに関するチャネル品質インジケータ（ＣＱＩ）情報を取得すること
をさらに含む請求項１の方法。
【請求項１６】
前記ベースキャリアの帯域幅に基づいて第一サブバンドサイズを確定すること、
前記複合帯域幅または前記少なくとも一つのセグメントの帯域幅に基づいて第二サブバンドサイズを確定すること、ここで前記少なくとも一つの作動パラメータが前記第二サブバンドサイズを含んでおり、
前記ベースキャリア内にある前記第一サブバンドサイズのサブバンドに関する第一チャネル品質インジケータ（ＣＱＩ）情報を取得すること、
前記少なくともひとつのセグメント内にある前記第二サブバンドサイズのサブバンドに関する第二ＣＱＩ情報を取得すること
をさらに含む請求項１の方法。
【請求項１７】
前記ベースキャリアの帯域幅に基づいて第一の数の帯域幅要素を確定し、
前記少なくとも一つのセグメントの帯域幅に基づいて第二の数の帯域幅要素を確定し、
前記第一および第二の数の帯域幅要素に基づいて第三の数の帯域幅要素を確定し、
前記第三の数の帯域幅要素に関するＣＱＩ情報を取得すること
をさらに含む請求項１の方法。
【請求項１８】
前記複合帯域幅に基づいてサウンディングリファレンスシグナル（ＳＲＳ）帯域幅を確定すること、ここで前記少なくとも一つの作動パラメータが前記ＳＲＳ帯域幅を含んでおり、
前記ＳＲＳ帯域幅に基づいてＳＲＳの送信または受信をすること
をさらに含む請求項１の方法。
【請求項１９】
前記ベースキャリア用の第一サウンディングリファレンスシグナル（ＳＲＳ）構成を確定すること、
前記少なくとも一つのセグメント用の第二サウンディングリファレンスシグナル（ＳＲＳ）構成を確定すること、
前記第一ＳＲＳ構成に基づいて前記ベースキャリアでＳＲＳの送信または受信をすること、
前記第二ＳＲＳ構成に基づいて前記少なくとも一つのセグメントでＳＲＳの送信または受信をすること
をさらに含む請求項１の方法。
【請求項２０】
前記ベースキャリアおよび前記少なくとも一つのセグメントのリソースブロックには前記ベースキャリアのリソースブロックから始まって前記少なくもと一つのセグメントのリソースブロックに至るまで番号が付けられている請求項１の方法。
【請求項２１】
前記ベースキャリアが制御領域とデータ領域とを含んでいて、前記少なくとも一つのセグメントが前記データ領域の拡張部を含んでいる請求項１の方法。
【請求項２２】
前記ベースキャリアまたは前記少なくとも一つのセグメントまたは両者のリソースを割り当てる単一の許可を前記ＵＥで受信する請求項１の方法。
【請求項２３】
前記ベースキャリアおよび前記少なくとも一つのセグメントの前記確定、前記少なくとも一つの作動パラメータの前記確定、前記通信が前記ＵＥと通信をするために基地局により実行される請求項１の方法。
【請求項２４】
前記ベースキャリアおよび前記少なくとも一つのセグメントの前記確定、前記少なくとも一つの作動パラメータの前記確定、前記通信が基地局と通信をするために前記ＵＥにより実行される請求項１の方法。
【請求項２５】
前記ベースキャリアおよび前記少なくとも一つのセグメントがダウンリンク伝送のためである請求項１の方法。
【請求項２６】
前記ベースキャリアおよび前記少なくとも一つのセグメントがアップリンク伝送のためである請求項１の方法。
【請求項２７】
ユーザ機器（ＵＥ）にとって通信に利用可能なベースキャリアと少なくとも一つのセグメントとを確定するための手段と、
前記ベースキャリアと前記少なくとも一つのセグメントとの複合帯域幅に基づいて前記ＵＥ用の少なくとも一つの作動パラメータを確定するための手段と、
前記ＵＥ用の前記少なくとも一つの作動パラメータに基づいて通信をするための手段と
を含む無線通信のための装置。
【請求項２８】
前記ベースキャリアの帯域幅に基づいてリソースブロックグループ（ＲＢＧ）サイズを確定するための手段と、
前記複合帯域幅と前記ＲＢＧサイズとに基づいてビットマップを確定するための手段と、ここで前記少なくとも一つの作動パラメータが前記ビットマップを含んでおり、
前記ＵＥに割り当てられるリソースブロックを前記ビットマップに基づいて確定するための手段と
をさらに含む請求項２７の装置。
【請求項２９】
前記複合帯域幅に基づいてギャップを確定するための手段と、ここで前記少なくとも一つの作動パラメータが前記ギャップを含んでおり、
前記ＵＥに割り当てられる一組の仮想リソースブロック（ＶＲＢｓ）を確定するための手段と、
前記ギャップに基づいて前記一組のＶＲＢｓを一組の物理リソースブロック（ＰＲＢｓ）にマッピングするための手段と
をさらに含む請求項２７の装置。
【請求項３０】
前記ベースキャリアおよび前記少なくとも一つのセグメントがアップリンク用であり、前記装置が
前記アップリンク用の前記複合帯域幅に基づいてダウンリンク用の物理ＨＡＲＱインジケータチャネル（ＰＨＩＣＨ）のリソースを確定するための手段をさらに含んでいる請求項２７の装置。
【請求項３１】
前記ベースキャリアのリソースのために前記ベースキャリア内で周波数ホッピングを行うための手段と、
前記少なくとも一つのセグメントのリソースのために前記少なくとも一つのセグメント内で周波数ホッピングを行うための手段と
をさらに含んでいる請求項２７の装置。
【請求項３２】
前記複合帯域幅に基づいてサブバンドサイズを確定するための手段と、ここで前記少なくとも一つの作動パラメータが前記サブバンドサイズを含んでおり、
前記サブバンドサイズのサブバンドに関するチャネル品質インジケータ（ＣＱＩ）情報を取得するための手段と
をさらに含む請求項２７の装置。
【請求項３３】
前記複合帯域幅に基づいてサウンディングリファレンスシグナル（ＳＲＳ）帯域幅を確定するための手段と、ここで前記少なくとも一つの作動パラメータが前記ＳＲＳ帯域幅を含んでおり、
前記ＳＲＳ帯域幅に基づいてＳＲＳの送信または受信をするための手段と
をさらに含む請求項２７の装置。
【請求項３４】
ユーザ機器（ＵＥ）にとって通信に利用可能なベースキャリアと少なくとも一つのセグメントとを確定し、
前記ベースキャリアと前記少なくとも一つのセグメントとの複合帯域幅に基づいて前記ＵＥ用の少なくとも一つの作動パラメータを確定し、
前記ＵＥ用の前記少なくとも一つの作動パラメータに基づいて通信をするように構成されている少なくとも一台のプロセッサと、
前記少なくとも一台のプロセッサに連結されているメモリと
を含む無線通信のための装置。
【請求項３５】
前記少なくとも一台のプロセッサが、
前記ベースキャリアの帯域幅に基づいてリソースブロックグループ（ＲＢＧ）サイズを確定し、
前記複合帯域幅と前記ＲＢＧサイズとに基づいてビットマップを確定し、ここで前記少なくとも一つの作動パラメータが前記ビットマップを含んでおり、
前記ＵＥに割り当てられるリソースブロックを前記ビットマップに基づいて確定するように構成されている請求項３４の装置。
【請求項３６】
前記少なくとも一台のプロセッサが、
前記複合帯域幅に基づいてギャップを確定し、ここで前記少なくとも一つの作動パラメータが前記ギャップを含んでおり、
前記ＵＥに割り当てられる一組の仮想リソースブロック（ＶＲＢｓ）を確定し、
前記ギャップに基づいて前記一組のＶＲＢｓを一組の物理リソースブロック（ＰＲＢｓ）にマッピングするように構成されている請求項３４の装置。
【請求項３７】
前記ベースキャリアおよび前記少なくとも一つのセグメントがアップリンク用であり、前記少なくとも一台のプロセッサが前記アップリンク用の前記複合帯域幅に基づいてダウンリンク用の物理ＨＡＲＱインジケータチャネル（ＰＨＩＣＨ）のリソースを確定するように構成されている請求項３４の装置。
【請求項３８】
前記少なくとも一台のプロセッサが、
前記ベースキャリアのリソースのために前記ベースキャリア内で周波数ホッピングを行い、
前記少なくとも一つのセグメントのリソースのために前記少なくとも一つのセグメント内で周波数ホッピングを行うように構成されている請求項３４の装置。
【請求項３９】
前記少なくとも一台のプロセッサが、
前記複合帯域幅に基づいてサブバンドサイズを確定し、ここで前記少なくとも一つの作動パラメータが前記サブバンドサイズを含んでおり、
前記サブバンドサイズのサブバンドに関するチャネル品質インジケータ（ＣＱＩ）情報を取得するように構成されている請求項３４の装置。
【請求項４０】
前記少なくとも一台のプロセッサが、
前記複合帯域幅に基づいてサウンディングリファレンスシグナル（ＳＲＳ）帯域幅を確定し、ここで前記少なくとも一つの作動パラメータが前記ＳＲＳ帯域幅を含んでおり、
前記ＳＲＳ帯域幅に基づいてＳＲＳの送信または受信をするように構成されている請求項３４の装置。
【請求項４１】
ユーザ機器（ＵＥ）にとって通信に利用可能なベースキャリアと少なくとも一つのセグメントとを少なくとも一台のコンピュータに確定させるコードと、
前記ベースキャリアと前記少なくとも一つのセグメントとの複合帯域幅に基づいて前記ＵＥ用の少なくとも一つの作動パラメータを前記少なくとも一台のコンピュータに確定させるコードと、
前記ＵＥ用の前記少なくとも一つの作動パラメータに基づいて前記少なくとも一台のコンピュータに通信を行わせるコードと
を含む非一時的なコンピュータ可読媒体
を含むコンピュータプログラム製品。
【請求項４２】
通信に利用可能なベースキャリアおよび少なくとも一つのセグメントを確定すること、
第一ユーザ機器（ＵＥ）に関する第一作動パラメータを前記ベースキャリアの基底帯域幅に基づいて確定すること、
第二ユーザ機器（ＵＥ）に関する第二作動パラメータを前記ベースキャリアと前記少なくとも一つのセグメントとの複合帯域幅に基づいて確定すること、
前記第一作動パラメータに基づいて前記第一ＵＥと通信をすること、
前記第二作動パラメータに基づいて前記第二ＵＥと通信をすること
を含む無線通信のための方法。
【請求項４３】
前記基底帯域幅に基づいて第一リソースブロックグループ（ＲＢＧ）サイズを確定すること、
前記複合帯域幅に基づいて第二ＲＢＧサイズを確定すること、ここで前記第二作動パラメータが前記第二ＲＢＧサイズを含んでおり、
前記第一ＲＢＧサイズに基づいて前記第一ＵＥにリソースブロックを割り当てること、
前記第二ＲＢＧサイズに基づいて前記第二ＵＥにリソースブロックを割り当てること
をさらに含む請求項４２の方法。
【請求項４４】
前記基底帯域幅に基づいてリソースブロックグループ（ＲＢＧ）サイズを確定すること、
前記第一ＵＥに関する第一ビットマップを前記基底帯域幅および前記ＲＢＧサイズに基づいて確定すること、ここで前記第一作動パラメータが前記第一ビットマップを含んでおり、
前記第二ＵＥに関する第二ビットマップを前記複合帯域幅および前記ＲＢＧサイズに基づいて確定すること、ここで前記第二作動パラメータが前記第二ビットマップを含んでおり、
前記第一ビットマップに基づいて前記第一ＵＥに割り当てられたリソースブロックをシグナリングすること、
前記第二ビットマップに基づいて前記第二ＵＥに割り当てられたリソースブロックをシグナリングすること
をさらに含む請求項４２の方法。
【請求項４５】
前記基底帯域幅に基づいて第一ギャップを確定すること、ここで前記第一作動パラメータが前記第一ギャップを含んでおり、
前記複合帯域幅に基づいて第二ギャップを確定すること、ここで前記第二作動パラメータが前記第二ギャップを含んでおり、
前記第一ＵＥに第一組の仮想リソースブロック（ＶＲＢｓ）を割り当てること、
前記第二ＵＥに第二組のＶＲＢｓを割り当てること、
前記第一ギャップに基づいて前記第一組のＶＲＢｓを第一組の物理リソースブロック（ＰＲＢｓ）にマッピングすること、
前記第二ギャップに基づいて前記第二組のＶＲＢｓを第二組のＰＲＢｓにマッピングすること
をさらに含む請求項４２の方法。
【請求項４６】
前記ベースキャリアのリソースのために前記ベースキャリア内で周波数ホッピングを行うこと、
前記少なくとも一つのセグメントのリソースのために前記少なくとも一つのセグメント内で周波数ホッピングを行うこと
をさらに含む請求項４２の方法。
【請求項４７】
前記基底帯域幅に基づいて第一周波数ホッピングモードを前記第一ＵＥにシグナリングするための第一の数のホッピングビットを確定すること、ここで前記第一作動パラメータが前記第一の数のホッピングビットを含んでおり、
前記複合帯域幅に基づいて第二周波数ホッピングモードを前記第二ＵＥにシグナリングするために第二の数のホッピングビットを確定すること、ここで前記第二作動パラメータが前記第二の数のホッピングビットを含んでおり、
前記第一の数のホッピングビットに基づいて前記第一ＵＥの前記第一周波数ホッピングモードを確定すること、
前記第二の数のホッピングビットに基づいて前記第二ＵＥの前記第二周波数ホッピングモードを確定すること
をさらに含む請求項４２の方法。
【請求項４８】
前記基底帯域幅に基づいて第一サブバンドサイズを確定すること、ここで前記第一作動パラメータが前記第一サブバンドサイズを含んでおり、
前記複合帯域幅または前記少なくとも一つのセグメントの帯域幅に基づいて第二サブバンドサイズを確定すること、ここで前記第二作動パラメータが前記第二サブバンドサイズを含んでおり、
前記第一サブバンドサイズに基づいて前記第一ＵＥにより確定される第一チャネル品質インジケータ（ＣＱＩ）情報を受信すること、
前記第二サブバンドサイズに基づいて前記第二ＵＥにより確定される第二ＣＱＩ情報を受信すること
をさらに含む請求項４２の方法。
【請求項４９】
前記基底帯域幅に基づいて第一の数の帯域幅要素を確定し、
前記少なくとも一つのセグメントの帯域幅に基づいて第二の数の帯域幅要素を確定し、
前記第一および第二の数の帯域幅要素に基づいて第三の数の帯域幅要素を確定し、
前記第三の数の帯域幅要素に関して前記第二ＵＥからチャネル品質インジケータ（ＣＱＩ）情報を受信すること
をさらに含む請求項４２の方法。
【請求項５０】
前記基底帯域幅に基づいて第一サウンディングリファレンスシグナル（ＳＲＳ）帯域幅を確定すること、ここで前記第一作動パラメータが前記第一ＳＲＳ帯域幅を含んでおり、
前記複合帯域幅に基づいて第二ＳＲＳ帯域幅を確定すること、ここで前記第二作動パラメータが前記第二ＳＲＳ帯域幅を含んでおり、
前記第一ＳＲＳ帯域幅に基づいて前記第一ＵＥにより送信された前記第一ＳＲＳ伝送を受信すること、
前記第二ＳＲＳ帯域幅に基づいて前記第二ＵＥにより送信された前記第二ＳＲＳを受信すること
をさらに含む請求項４２の方法。
【請求項５１】
前記ベースキャリア用の第一サウンディングリファレンスシグナル（ＳＲＳ）構成を確定すること、
前記少なくとも一つのセグメント用の第二ＳＲＳ構成を確定すること、
前記第一ＳＲＳ構成に基づいて前記ベースキャリアで前記第二ＵＥにより送信された前記第一ＳＲＳ伝送を受信すること、
前記第二ＳＲＳ構成に基づいて前記少なくとも一つのセグメントで前記第二ＵＥにより送信された前記第二ＳＲＳ伝送を受信すること
をさらに含む請求項４２の方法。
【発明の詳細な説明】
【技術分野】
【０００１】
この出願は、２００９年１２月１２日に出願がなされている「リソース管理のためのシステム、装置、方法（SYSTEMS, APPARATUS AND METHODS FOR RESOURCE MANAGEMENT）」と言う名称の米国仮特許出願シリアル番号６１／２８８，８００の利益を主張する。この米国仮特許出願は、この言及により全体的にここに明確に含まれる。
【０００２】
この開示は、一般に通信に関連しているが、特に無線通信システムの通信をサポートする技術に関連している。
【背景技術】
【０００３】
無線通信システムは、音声や映像やパケットデータやメッセージングや同報通信などの様々な種類の通信内容を供給するために広く展開されている。このような無線通信システムは、利用可能なシステムリソースを共有することによって多くのユーザをサポートすることのできる多元接続システム（multiple-access systems）であるかも知れない。そのような多元接続システムの例には、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、直交周波数分割多元接続（ＯＦＤＭＡ：orthogonal frequency division multiple access）システム、単一搬送波周波数分割多元接続（ＳＣ−ＦＤＭＡ：single-carrier frequency division multiple access）システム、３ＧＰＰ長期的高度化（ＬＴＥ：Long Term Evolution）システムが含まれる。
【０００４】
無線通信システムは、複数台のユーザ機器（ＵＥｓ：user equipments）の通信をサポートすることのきる基地局を複数台備えることができる。ＵＥは、ダウンリンクおよびアップリンクを介して基地局と通信をすることができる。ダウンリンク（または順方向リンク）は基地局からＵＥに向かう通信リンクを言い、アップリンク（または逆方向リンク）はＵＥから基地局に向かう通信リンクを言う。
【発明の概要】
【０００５】
キャリアエクステンション（carrier extension）で通信をサポートする技術をここに説明する。キャリアエクステンションのために付加的な帯域幅を提供する一つ以上のセグメント（segments）にベースキャリア（base carrier）が関連付けられる。ベースキャリアと一つ以上のセグメントとの組み合わせを複合キャリアと言うことにする。幾つかのＵＥ（「一般ＵＥ」）はベースキャリアのみで作動することができる。他のＵＥ（「先進的ＵＥ」）は、複合キャリアで作動することができるので一つ以上のセグメントが提供する付加的な帯域幅から恩恵を被ることができる。ＵＥｓと通信をするための様々な作動パラメータは、一般ＵＥと先進的ＵＥとで異なっている可能性のあるシステム帯域幅に基づいて決められることができる。
【０００６】
キャリアエクステンションを用いている先進的ＵＥとの通信をサポートするある設計では先進的ＵＥが通信に利用することのできるベースキャリアおよび少なくとも一つのセグメントが確定される。先進的ＵＥに関する少なくとも一つの作動パラメータがベースキャリアと少なくとも一つのセグメントとから成る複合帯域幅に基づいて確定される。先進的ＵＥは、少なくとも一つの作動パラメータに基づいて通信をする。この少なくとも一つの作動パラメータには、(i) ダウンリンクのリソース割り当てに用いられるリソースブロックグループ（ＲＢＧ：resource block group）サイズ、(ii) ダウンリンクのリソース割り当てに用いられるビットマップ、(iii) 周波数ホッピングを伴うダウンリンクのリソース割り当てに用いられるギャップ、(iv) 周波数ホッピングを伴うアップリンクのリソース割り当てに用いられる幾つかのホッピングビット、(v) チャネル品質インジケータ（ＣＱＩ：channel quality indicator）の報告に用いられるサブバンドサイズ（subband size）、(vi) チャネル品質インジケータ（ＣＱＩ）の報告に用いられる幾つかの帯域幅要素（bandwidth parts）、(vii) アップリンクでＳＲＳ（sounding reference signal）を伝送するためのサウンディングリファレンスシグナル（ＳＲＳ：sounding reference signal）帯域幅、(viii) ＳＲＳを伝送するためのＳＲＳの設定、(ix) その他の作動パラメータの全てまたはいずれかが含まれる。
【０００７】
一般ＵＥおよび先進的ＵＥの通信をサポートするある設計では通信に利用することのできるベースキャリアおよび少なくとも一つのセグメントが確定される。一般ＵＥに関する第一作動パラメータがベースキャリアの基底帯域幅に基づいて確定される。先進的ＵＥに関する第二作動パラメータがベースキャリアと少なくとも一つのセグメントとの複合帯域幅に基づいて確定される。一般ＵＥとの通信は第一作動パラメータに基づいて行われる。第二ＵＥとの通信は第二作動パラメータに基づいて行われる。
【０００８】
この開示の諸相と諸特徴を以下に詳しく説明する。
【図面の簡単な説明】
【０００９】
【図１】図１は、無線通信システムを示す。
【図２】図２は、ダウンリンク用の典型的なフレーム構造を示す。
【図３】図３は、アップリンク用の典型的なサブフレーム構造を示す。
【図４Ａ】キャリアエクステンションの三種類の設計のうちの一つを示す。
【図４Ｂ】キャリアエクステンションの三種類の設計のうちの一つを示す。
【図４Ｃ】キャリアエクステンションの三種類の設計のうちの一つを示す。
【図５Ａ】図５Ａは、物理リソースブロック（ＰＲＢｓ：physical resource blocks）をＲＢＧｓに分ける典型的な区画を示す。
【図５Ｂ】図５Ｂは、ＲＢＧｓに基づいてＲＢＧ部分集合を形成する例を示す。
【図６】図６は、通信用装置のブロック図を示す。
【図７】図７は、ＵＥが通信をするための処理を示す。
【図８】図８は、ネットワークエンティティが通信をサポートするための処理を示す。
【図９】図９は、基地局およびＵＥのブロック図を示す。
【発明を実施するための形態】
【００１０】
ここに説明する技術は、ＣＤＭＡ、ＴＤＭＡ、ＦＤＭＡ、ＯＦＤＭＡ、ＳＣ−ＦＤＭＡ、その他のシステムのような様々な無線通信システムに使用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ｃｄｍａ２０００、その他のような無線技術を実現することができる。ＵＴＲＡには、広帯域符号分割多元接続（Ｗ−ＣＤＭＡ：Wideband Code Division Multiple Access）やＣＤＭＡの他の種々様々な変種が含まれる。さらに、ｃｄｍａ２０００はＩＳ−２０００、ＩＳ−９５、ＩＳ−８５６の各規格を包含している。ＴＤＭＡシステムは、移動体通信のためのグローバルシステム（ＧＳＭ（登録商標）：Global System for Mobile Communications）のような無線技術を実現することができる。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実現することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）およびＬＴＥ−Ａｄｖａｎｃｅｄ（ＬＴＥ−Ａ）は、ＯＦＤＭＡをダウンリンクにＳＣ−ＦＤＭＡをアップリンクにそれぞれ採用しているＥ−ＵＴＲＡを用いたＵＭＴＳの新たな公開である。ＵＴＲＡ、Ｅ−ＵＴＲＡ、ＵＭＴＳ、ＬＴＥ、ＬＴＥ−Ａ、ＧＳＭは、「第３世代パートナーシッププロジェクト（3rd Generation Partnership Project）」（３ＧＰＰ）と言う名称の組織が公開している文書に記載されている。また、ｃｄｍａ２０００およびＵＭＢは、「第３世代パートナーシッププロジェクト２（3rd Generation Partnership Project 2）」（３Ｇ
ＰＰ２）と言う名称の組織が公開している文書に記載されている。ここに説明する技術は、上に述べた様々なシステムや無線技術に用いることができるだけでなく、その他のシステムや無線技術にも用いることができる。明瞭にするために、ＬＴＥとの関連でこの技術の諸相を以下に説明することにする。ＬＴＥの用語が以下の説明には頻出する。
【００１１】
図１は、無線通信システム１００を示している。このシステムは、ＬＴＥシステムまたはその他のシステムのいずれでも構わない。システム１００は、幾つかのノードＢ（ｅＮＢｓ）１１０とその他のネットワークエンティティとを含んでいても良い。ｅＮＢは、複数台のＵＥｓと通信をするエンティティであり得るが、基地局、ノードＢ、アクセスポイント、その他と呼ばれることもある。各ｅＮＢ１１０は、特定の地理的領域に通信有効範囲を提供することができ、通信有効範囲内に在圏するＵＥｓの通信をサポートすることができる。システムの能力を改善するために、あるｅＮＢの全有効範囲は複数（例えば、三つ）の小さな領域に仕切られている。小さな領域はいずれもｅＮＢのサブシステムによりサービスを受けている。３ＧＰＰでは、用語「セル(cell)」はこの有効範囲にサービスを提供しているｅＮＢおよびｅＮＢサブシステムの両者または一方の最も小さい有効範囲を指すことがある。
【００１２】
ネットワークコントローラ１３０は一組のｅＮＢｓに結合していてこれらのｅＮＢｓの整合や制御を提供する。ネットワークコントローラ１３０は、モビリティ管理エンティティ（ＭＭＥ：Mobility Management Entity）およびその他のネットワークエンティティの両者または一方を有していても良い。
【００１３】
ＵＥｓ１２０は、システム全体に亘って分散している可能性がある。個々のＵＥは静止しているか移動しているかのいずれかである。ＵＥは、移動局、アクセス端末、加入者ユニット、ステーション、その他と呼ばれることもある。ＵＥは、小型携帯移動電話機、パーソナルデジタルアシスタント（ＰＤＡ：personal digital assistant）、無線モデム、無線通信装置、携帯装置、ラップトップコンピュータ、コードレスフォン、ワイヤレスローカルループ（ＷＬＬ：wireless local loop）ステーション、スマートフォン、ネットブック、スマートブック、その他のいずれでも良い。
【００１４】
システム１００は、データ伝送の信頼性を改善するためにハイブリッド自動再送要求（ＨＡＲＱ：hybrid automatic repeat request）をサポートしている。ＨＡＲＱでは、送信機（例えば、ｅＮＢ）はデータパケット（またはトランスポートブロック（transport block））の伝送を行うが、必要があれば、パケットが受信機（例えば、ＵＥ）により正確に復号化されるまで、またはパケットの最大伝送回数になるまで、またはその他の終了状態になるまで付加的な伝送を一回以上行うことがある。したがって、一つのパケットについて送信機が送信する回数は変わり得る。同期式ＨＡＲＱでは、あるパケットに関する全ての送信は単一ＨＡＲＱインターレースのサブフレームで送られる。ここでＱを４、６、８、１０、その他の値のいずれかに等しいとするとき、Ｑ番目の全てのサブフレームがこのサブフレームに含まれる。非同期式ＨＡＲＱでは当該パケットのどの送信も任意のサブフレームで行って構わない。
【００１５】
幾つかのＨＡＲＱプロセスがダウンリンクおよびアップリンクのそれぞれでサポートされている。どのＨＡＲＱプロセスも、一つのパケットの全送信を包含している。ＨＡＲＱプロセスは、新しいパケットがリソースを利用可能であれば何時でも開始され、そのパケットが正確に復号化されるか終了状態に至るかのどちらかで終了する。
【００１６】
システム１００は、周波数分割複信（ＦＤＤ）または時分割複信（ＴＤＤ）のどちらも使用することができる。ＦＤＤの場合には、ダウンリンクおよびアップリンクは別々の周波数チャネルに割り当てられる。ダウンリンク伝送およびアップリンク伝送は両周波数チャネルで同時に行われるかも知れない。ＴＤＤでは、ダウンリンクおよびアップリンクは同じ周波数チャネルを共有する。ダウンリンクおよびアップリンクでの伝送は同じ周波数チャネルで異なる時間帯（different time intervals）で行われる。
【００１７】
図２は、ＬＴＥにおけるＦＤＤのフレーム構造２００を示す。ダウンリンクおよびアップリンクのそれぞれの伝送タイムラインが無線フレームの単位に分割されている。各無線フレームは所定の長さ（例えば、１０ミリ秒（ｍｓ））を有していて、指標０ないし９が付いている１０個のサブフレームに分割されている。各サブフレームは２個のスロットを有している。したがって各無線フレームは、指標０ないし１９が付いている２０個のスロットを有している。各スロットはＬ個のシンボル期間を含むことができる。例えば、正規のサイクリックプレフィクスの場合には（図２に示すように）７個のシンボル期間を、拡張サイクリックプレフィクスの場合には６個のシンボル期間をそれぞれスロットは有している。サブフレーム毎に割り当てられる２Ｌ個のシンボル期間に０ないし２Ｌ−１の指標が割り当てられる。
【００１８】
ダウンリンクの各サブフレームは図２に示すように時分割多重（ＴＤＭ）化されるかも知れない制御領域とデータ領域とを有している。制御領域は、サブフレームの第一Ｍシンボル期間を含んでいる。ここで、Ｍは１、２、３、４のいずれかに等しく、サブフレーム毎に変わるかも知れない。制御領域はＵＥｓの制御情報を運ぶことができる。データ領域は、サブフレームの残りのシンボル期間を含むことができ、ＵＥsのためにデータその他の情報を運ぶことができる。
【００１９】
ｅＮＢは、物理制御フォーマット通知チャネル（ＰＣＦＩＣＨ：Physical Control Format Indicator Channel）、物理ＨＡＲＱインジケータチャネル（ＰＨＩＣＨ：Physical HARQ Indicator Channel）、物理ダウンリンク制御チャネル（ＰＤＣＣＨ：Physical Downlink Control Channel）をサブフレームの制御領域内で送信することができる。ＰＣＦＩＣＨはサブフレームの第一シンボル期間に伝送されて制御領域のサイズ（すなわち、Ｍの値）を伝えることができる。ＰＨＩＣＨは、ＨＡＲＱによりアップリンクで送られるデータ伝送のために確認通知（ＡＣＫ）情報を伝えることができる。ＤＣＩは、ダウンリンクの許可、アップリンクの許可、電力制御情報、その他を含むことができる。ｅＮＢは、物理ダウンリンク共有チャネル（ＰＤＳＣＨ）をサブフレームのデータ領域で伝送することができる。ＰＤＳＣＨは、ダウンリンクでのデータ伝送がスケジュールされているＵＥｓのトラフィックデータを伝えることができる。
【００２０】
ｅＮＢは、当該ｅＮＢによりサポートされている個々のセルのシステム帯域幅の中心である１．０８ＭＨｚで優先同期信号（ＰＳＳ：primary synchronization signal）およびセカンダリ同期信号（ＳＳＳ：secondary synchronization signal）をダウンリンクにより送信することができる。ＦＤＤでは、図２に示すように正規のサイクリックプレフィクスを有している個々の無線フレームのサブフレーム０および５でシンボル期間６および５のそれぞれでＰＳＳおよびＳＳＳが伝送される。ＰＳＳおよびＳＳＳは、ＵＥｓによりセルの捜索および取得に使用される。ｅＮＢは、図２に示すようにある無線フレームのスロット１のシンボル期間０ないし３でシステム情報を運ぶ物理報知チャネル（ＰＢＣＨ）も送信するかも知れない。ｅＮＢは、ｅＮＢによりサポートされている各セルの各サブフレームの指定されたシンボル期間にシステム帯域幅に亘ってセル固有リファレンスシグナル（ＣＲＳ）も送信する。ＣＲＳは、ＵＥによってチャネル測定、その他に用いられる。
【００２１】
ＬＴＥでは、直交周波数多重（ＯＦＤＭ）をダウンリンクに使用し、シングルキャリア周波数分割多重（ＳＣ−ＦＤＭ）をアップリンクに使用する。ＯＦＤＭおよびＳＣ−ＦＤＭでは周波数領域が複数（ＮＦＦＴ）の直交サブキャリアに分割される。直交サブキャリアはトーン、ビン、その他と一般に呼ばれる。どのサブキャリアもデータで変調される。一般に変調シンボルは、ＯＦＤＭでは周波数領域で送られ、ＳＣ−ＦＤＭでは時間領域で送られる。隣接しているサブキャリア相互の間隔は固定されていて、サブキャリアの総数（ＮＦＦＴ）はシステム帯域幅に依存している。例えば、サブキャリアの間隔は１５キロヘルツ（ＫＨｚ）であり、ＮＦＦＴは、１．２５、２．５、５、１０、２０メガヘルツ（ＭＨｚ）の帯域幅のそれぞれに対応して１２８、２５６、５１２、１０２４、２０４８に等しい。
【００２２】
ダウンリンクおよびアップリンクのそれぞれにとって利用可能な時間周波数リソース（time frequency resources）は物理リソースブロック（ＰＲＢｓ）に分割される。物理リソースブロックはリソースブロック（ＲＢｓ：resource blocks）とも呼ばれる。各ＲＢは、一つのスロットに１２個のサブキャリアを包含している。各スロットのＲＢｓの数はシステム帯域幅に依存していて、１．２５ないし２０ＭＨｚのシステム帯域幅では６ないし１１０の範囲である。各ＲＢは幾つかのリソースエレメントを有していても構わない。各リソースエレメントは１シンボル期間に１個のサブキャリアを包含していて、実数値または複素数値のいずれでも構わない１個の変調シンボルの伝送に用いられる。
【００２３】
図３は、ＬＴＥにおけるアップリンクのサブフレーム構造３００を示す。アップリンクのどのサブフレームも周波数分割多重（ＦＤＭ）化される制御領域とデータ領域とを有している。制御領域は、システム帯域幅の両端に形成されていて、ＵＥｓによりアップリンクで送られる制御情報の量に基づいて選択することのできる設定可能なサイズを有している。データ領域は、制御領域により覆われていない残りの周波数を含むことができる。
【００２４】
アップリンク制御情報（ＵＣＩ）をｅＮＢに送信するために制御領域のＲＢｓ３１０ａおよび３１０ｂがＵＥに割り当てられる。データをｅＮＢに送信するためにデータ領域のＲＢｓ３２０ａおよび３２０ｂもＵＥに割り当てられる。ＵＥは、割り当てられている制御領域のＲＢｓ３１０ａおよび３１０ｂに関係している物理アップリンク制御チャネル（ＰＵＣＣＨ）でＵＣＩを送信することができる。ＵＣＩは、ダウンリンクで送信されたデータ伝送に関するＡＣＫ情報、ＣＱＩ情報、スケジューリング要請、その他を含むことができる。ＵＥは、割り当てられているデータ領域のＲＢｓ３２０ａおよび３２０ｂに関係している物理アップリンク共有チャネル（ＰＵＳＣＨ）でデータだけ、または、データとＵＣＩの両者を送信することができる。アップリンク伝送は、サブフレームの両スロットに跨っていることもあれば、図３に示されているように周波数を横切ってホッピングすることもある。ＵＥは、ピーク対平均電力比（ＰＡＰＲ：peak-to-average power ratio）の低い単一キャリア波形を得るために一組の連続サブキャリアで各シンボル期間に送信をする。
【００２５】
ＬＴＥにおける様々なチャネルとシグナルとが公に入手可能な「進化したユニバーサル地上無線アクセス（Ｅ−ＵＴＲＡ）、物理チャネルと変調（Evolved Universal Terrestrial Radio Access (E-UTRA); Physical Channels and Modulation）」と言う表題の３ＧＰＰ  ＴＳ  ３６．２１１に記載されている。
【００２６】
システム１００は、ダウンリンクおよびアップリンクのそれぞれに関してシングルキャリアまたはマルチキャリアの操作を付随的にサポートしている。キャリアとは、通信に用いられる周波数範囲のことであり、特定の特性に関連付けられている。マルチキャリアの操作はキャリアの集合またはマルチキャリア操作として言及される。ＵＥはｅＮＢと交信をするために、ダウンリンクでは一つ以上のキャリア（すなわち、ダウンリンクキャリア）で作動し、アップリンクでは一つ以上のキャリア（すなわち、アップリンクキャリア）で作動する。ＵＥは、データおよび制御情報を１個以上のアップリンクキャリアでｅＮＢに送ることができる。
【００２７】
キャリア集合の一設計では、ダウンリンクキャリアがアップリンクキャリアと対にされる。この設計では、与えられたダウンリンクキャリアでのデータ伝送をサポートする制御情報はダウンリンクキャリアおよび関連付けられているアップリンクキャリアの両者または一方で送信される。同様に、与えられたアップリンクキャリアでのデータ伝送をサポートする制御情報はアップリンクキャリアおよび関連付けられたダウンリンクキャリアの両者または一方で送信される。別の設計では、クロスキャリア制御がサポートされている。この設計では、所定のダウンリンクキャリアではなく別のダウンリンクキャリアで制御情報が送信される。
【００２８】
ある設計ではダウンリンクおよびアップリンクのそれぞれにおいて、あるキャリアがアンカーキャリア（anchor carrier）として言及され、残りのどのキャリアも拡張キャリア（extension carrier）として言及される。アンカーキャリアは第一キャリア、普通のキャリア、その他としても言及される。拡張キャリアはアンカーキャリアと隣接していることもあれば隣接していないこともある。ＵＥは、ダウンリンクおよびアップリンクのそれぞれについてアンカーキャリアとゼロ個以上の拡張キャリアとに基づいて作動するように構成されている。ＵＥは、ＵＥに特有のキャリア設定を有していて高次のレイヤシグナリングによりシグナリングされる。各キャリアは、６個、１５個、２５個、５０個、７５個、１００個のＲＢｓに対応している幾つかのサポートされているシステム帯域幅の一つを有している。
【００２９】
ある設計では、各キャリアでのデータ伝送をサポートする制御情報が別個に送信される。例えば、ダウンリンクまたはアップリンクのアンカーキャリアでのデータ伝送をサポートするために第一許可が送信される、ダウンリンクまたはアップリンクにおける拡張キャリアでのデータ伝送をサポートするために第二許可が送信される。この設計では、どのキャリアも他のキャリアとは別個に作動することができる。例えば、各キャリアのＨＡＲＱ処理は別のキャリアのＨＡＲＱ処理とは別個である。送信モードが（例えば、ＭＩＭＯ、その他用に）キャリア毎に独立して選択される。
【００３０】
ある設計では、全キャリアの制御信号がアンカーキャリアで送信される。上の例では、第一および第二の許可がダウンリンクアンカーキャリアで送信される。この設計では、ダウンリンク拡張キャリアにデータ領域だけを含めて制御領域を含めないことにより、オーバーヘッドを減らすことができる。ある設計では、ＣＲＳ、ＰＳＳ、ＳＳＳ、報知チャネル、ページングチャネルなしで拡張キャリアが設定される。この設計でも拡張キャリアのオーバーヘッドを減らすことができる。この設計ではＵＥｓは、拡張キャリアのＰＳＳやＳＳＳを検出することができないし、ブロードキャストやページングチャネルやＣＲＳを拡張キャリアから受信することもできないので、拡張キャリアには後方互換性がなくても構わない。
【００３１】
このシステムは、ダウンリンクまたはアップリンクのキャリアのためにキャリアエクステンションをサポートしている。キャリアエクステンションでは、ベースキャリアが１個以上のセグメントに関連付けられる。ここで、どのセグメントも周波数の領域を包含していて伝送のために付加的な帯域幅を提供する。キャリアエクステンションは、（先進的ＵＥｓと呼ぶことのできる）ＵＥｓにはサポートされているが、（普通のＵＥと呼ぶことのできる）ＵＥｓにはサポートされていない。
【００３２】
図４Ａは、キャリアエクステンションのある一つの設計を示している。この設計では、ベースキャリアが基底帯域と呼ぶことのできる特定の帯域幅を有している。低位セグメントはベースキャリアの低位端に位置している。高位セグメントはベースキャリアの高位端に位置している。ベースキャリアと低位キャリアと高位キャリアとの組み合わせは、複合キャリアとして言及される。複合キャリアは、複合帯域幅と呼ぶことのできる特定の帯域幅を有している。一般に、低位セグメントの帯域幅は高位セグメントの帯域幅に等しいこともあれば等しくないこともある。ある設計では、２０ＭＨｚのシステム帯域幅の場合に基底帯域幅は１００個のＲＢｓを有していて複合帯域幅は１１０個のＲＢｓを有している。
【００３３】
図４Ｂには、キャリアエクステンションの別の設計が示されている。この設計では、単一のセグメントがベースキャリアの高位端に位置している。ベースキャリアは基底帯域幅を有している。複合キャリアはこのベースキャリアと高位端のセグメントとを含んでいることが示されている。複合キャリアは複合帯域幅を有している。
【００３４】
図４Ｃには、キャリアエクステンションのさらに別の設計が示されている。この設計では、単一のセグメントがベースキャリアの下位端に位置している。ベースキャリアは基底帯域幅を有している。複合キャリアは、このベースキャリアと下位端のセグメントとを含んでいて、複合帯域幅を有している。
【００３５】
図４Ａ〜４Ｃは、キャリアエクステンションの三種類の設計である。一般に、任意の数のセグメントをキャリアエクステンションでサポートすることができる。どのセグメントも任意の帯域幅を有していてベースキャリアとの関連で何処にでも位置させることができる。セグメントは、ベースキャリアに隣接していても隣接していなくても構わない。セグメントは特定の帯域幅を有している。この帯域幅をセグメント帯域幅と言うことができる。明瞭にするために、以下の記載では図４Ａに示す設計を仮定する。
【００３６】
キャリアエクステンションがサポートされるのは、ダウンリンクのみであるか、アップリンクのみであるか、ダウンリンクとアップリンクの両者であるかのいずれかである。ダウンリンクのキャリアエクステンションでは、ＤＬ基底帯域幅を有しているダウンリンク（ＤＬ）ベースキャリアは普通のＵＥｓが使用することができる。ＤＬベースキャリアと１個以上のセグメントとから成っていてＤＬ複合帯域幅を有しているＤＬ複合キャリアは先進的なＵＥｓが使用することができる。アップリンクでのキャリアエクステンションでは、ＵＬ基底帯域幅を有しているアップリンク（ＵＬ）ベースキャリアは普通のＵＥｓが使用することができる。ＵＬベースキャリアと１個以上のセグメントとから成っていてＵＬ複合帯域幅を有しているＵＬ複合キャリアは先進的なＵＥｓが使用することができる。ＤＬ基底帯域幅はＵＬ帯域幅に整合していることもあれば整合していないこともある。ＤＬ複合帯域幅はＵＬ複合帯域幅に整合していることもあれば整合していないこともある。
【００３７】
一般に所与のリンク（例えば、ダウンリンクやアップリンク）では、ベースキャリアは任意の数のＲＢｓを有していて、各セグメントは任意の数のＲＢｓを有している。ベースキャリアの中のＲＢｓは、普通のＵＥｓがこれらを使用することができ、ベースキャリア内のＲＢｓの数をＮＲＢとするとき、０ないしＮＲＢ−１の指標がベースキャリアの中のＲＢｓに割り当てられる。ベースキャリアとセグメントの両者の中のＲＢｓは先進的なＵＥｓが使用可能であり、複合キャリア内のＲＢｓの数をＮＲＢ，ＡＤＶとするとき、０ないしＮＲＢ，ＡＤＶ−１の指標が複合キャリア内のＲＢｓに割り当てられる。
【００３８】
図４Ａには、先進的なＵＥｓのためにＲＢｓの番号付けをする最初の設計が示されている。この設計では、ＲＢｓの番号付けはベースキャリアから始まり、セグメントに続く。この設計では、普通のＵＥｓおよび先進的なＵＥｓの両者でベースキャリア内のＲＢｓには同じ番号が割り振られている。これにより一般のＵＥｓに割り当てられているＲＢｓと先進的なＵＥｓに割り当てられているＲＢｓとの間での食い違い（offset）を避けることができる。図４Ａに示されている例では、ベースキャリアは０ないし２４の指標が付いている２５個のＲＢｓを有していて、高位セグメントは２５ないし３９の指標が付いている１５個のＲＢｓを有していて、低位セグメントは４０ないし５４の指標が付いている１５個のＲＢｓを有している。
【００３９】
図４Ｂには、ベースキャリアと１個の高位セグメントとから成る複合キャリア内のＲＢｓに番号付けをする最初の設計が示されている。ベースキャリアは、０ないし２４の指標が付いている２５個のＲＢｓを有している。高位セグメントは２５ないし３９の指標が付いている１５個のＲＢｓを有している。図４Ｃには、ベースキャリアと１個の低位キャリアとから成る複合キャリア内のＲＢｓに番号付けをする最初の設計が示されている。ベースキャリアには、０ないし２４の指標が付いている２５個のＲＢｓが含まれている。低位セグメントには２５ないし３９の指標が付いている１５個のＲＢｓが含まれている。
【００４０】
別の観点では、ＲＢｓの番号付けはセグメントで始まり、ベースキャリアに続く。例えば図４Ａであれば、低位セグメントが有している１５個のＲＢｓには０ないし１４の指標が付いていて、ベースキャリアが有している２５個のＲＢｓには１５ないし３９の指標が付いていて、高位セグメントが有している１５個のＲＢｓには４０ないし５４の指標が付いている。飽くまでも説明のために以下ではＤＬ複合キャリアおよびＵＬ複合キャリアのＲＢｓの番号付けに関しては最初に例示した番号付けの設計を仮定することにする。但し、これは本開示の必須要件ではない。
【００４１】
ある設計ではキャリアエクステンションは、例えば、無線リソース制御（ＲＲＣ）のような高次レイヤを介して特に先進的ＵＥｓ用に設定される。与えられたリンク（例えば、ダウンリンクやアップリンク）のキャリアエクステンションに関するＵＥに固有の設定は、セグメントが当該リンクに１個以上存在していること、各セグメントまたはセグメント全体の帯域幅、ベースキャリアとの関連、その他を示す。ＵＥに固有の設定は、例えば、高次シグナリングによりＵＥに伝達される。この設計では、異なる先進的なＵＥｓが異なるキャリアエクステンションの設定を有していることがあり得る。例えば、第一の先進的なＵＥが図４Ａのベースキャリアと低位セグメントとで構成されていて、第二の先進的なＵＥが図４Ａのベースキャリアと高位セグメントとで構成されていて、第三の先進的なＵＥが図４Ａのベースキャリアと両セグメントとで構成されていることがあり得る。別の設計ではキャリアエクステンションは、例えば、報知チャネルで送信されるシステム情報を介して先進的なＵＥｓの別のクラスとして構成されている可能性がある。
【００４２】
ＬＴＥリリース８は、６個、１５個、２５個、５０個、７５個、１００個のＲＢｓに対応しているシステム帯域幅の標準セットをサポートしている。２０ＭＨｚの複合キャリアにおいて最大で１１０個のＲＢｓをサポートするためにキャリアエクステンションを使用することができる。ある設計では、各セグメントまたは全セグメントの帯域幅は、ＬＴＥリリース８にサポートされているシステム帯域幅のセットの一つに等しくなるように（例えば、６個または１５個のＲＢｓに等しくなるように）制限されている。別の設計では、各セグメントまたは全セグメントの帯域幅は任意の適切な値に設定される。
【００４３】
ベースキャリアと１個以上の関連セグメントとの組合せが先進的なＵＥｓには単一キャリアと見なされる。単一キャリアに適用可能な様々な特徴をベースキャリアと関連セグメントとから成る複合キャリアに適用することができる。例えば、許可は複合キャリア内のＲＢｓを先進的なＵＥに割り当てることができる。単一ＨＡＲＱプロセスを複合キャリアに適用することができる。同じ伝送モードを複合キャリアに適用することができる。他の特徴も複合キャリアに適用することができる。
【００４４】
与えられたリンクの特定の伝送はベースキャリアに基づいて行われるのであって関連セグメントに基づいて行われるのではない。例えば、ＣＲＳ、ＰＳＳ、ＳＳＳ、報知チャネル、ページングチャネルの送信はＤＬベースキャリアで行われるのであって関連セグメントで行われるのではない。物理ランダムアクセスチャネル（ＰＲＡＣＨ）がＵＬベースキャリアで送信されるのであって関連セグメントで送信されるのではない。別の設計では、与えられたリンクでの伝送はベースキャリアと関連セグメントとで行われる。
【００４５】
ある設計では与えられたリンクにおいて、ベースキャリアは（例えば、図２や図３に示すように）制御領域とデータ領域とを含んでいるのに対して関連セグメントはデータ領域しか含んでおらず制御領域を含んでいない。この設計では、ベースキャリアにとってはセグメントを拡張データと見なすことができる。ダウンリンクでは、サブフレームの最初のＯＦＤＭシンボルで始まるセグメントでデータが送信される。アップリンクでは、制御領域の外側の端で始まるセグメントでデータが送信される。別の設計では制御領域は、ベースキャリアとセグメントの両者に亘っている。
【００４６】
ある設計では、与えられたリンク（例えば、ダウンリンクやアップリンク）のベースキャリアとセグメントに関する制御情報がベースキャリアで送信される。例えば、ダウンリンクの許可が制御領域のＤＬベースキャリアで送信され、ＤＬのベースキャリアおよびセグメントの両者または一方でリソースが伝送される。
【００４７】
データは、与えられたリンクの複合キャリアで当該リンクのベースキャリアと同じようにして送信される。例えば、複合キャリアで送信されるデータのデータマッピング、インターリービング、アドレッシングはベースキャリアで送信したデータ用のルールにしたがわなければならない。ダウンリンクではデータはＰＤＳＣＨで送信される。これにより、ＤＬのセグメントではなくてベースキャリアのＣＲＳ、ＰＳＳ、ＳＳＳ、報知チャネル用に予約されているリソースを避けることができる。
【００４８】
ダウンリンクやアップリンクでのデータ伝送のための様々な作動パラメータは各リンクのシステム帯域幅に依存している。与えられたリンクのシステム帯域幅は、(i) 普通のＵＥｓ用のベースキャリアの基底帯域幅、(ii) 先進的なＵＥｓのための複合キャリアの複合帯域幅のどちらかに対応している。先進的なＵＥｓのための様々な作動パラメータは以下に記載するようにして決められる。
【数１】
2013515452.tif 000003
【００４９】
ダウンリンクで利用可能なＰＲＢｓはリソースブロックグループ（ＲＢＧｓ）に区切られる。各ＲＢＧは、最大でＰ個の連続したＰＲＢｓを含むことができる。ここで、ＰはＲＢＧサイズであり、ＤＬシステム帯域幅に依存している。ＬＴＥリリース８のＤＬシステム帯域幅のためのＰの値を表１に列挙する。
【表１】
2013515452.tif 000004
【数２】
2013515452.tif 000005
【数３】
2013515452.tif 000006
【数４】
2013515452.tif 000007
【００５０】
図５Ｂは、５０個のＰＲＢｓで得られる１７個のＲＢＧｓから３個のＲＢＧ部分集合を形成する例を示している。ＲＢＧ部分集合０は、指標が０、３、６、９、１２、１５である６個のＲＢＧｓを有していて、指標ｍ＝０、１、２、９、１０、１１、１８、１９、２０、その他である１８個のＰＲＢｓを有している。ＲＢＧ部分集合１は、指標が１、４、７、１０、１３、１６である６個のＲＢＧｓを有していて、指標ｍ＝３、４、５、１２、１３、１４、２１、２２、２３、その他である１７個のＰＲＢｓを有している。ＲＢＧ部分集合２は、指標が２、５、８、１１、１４である５個のＲＢＧｓを有していて、指標ｍ＝６、７、８、１５、１６、１７、２４、２５、２６、その他である１５個のＰＲＢｓを有している。
【００５１】
このシステムは、次のような異なるリソース割り当てタイプをダウンリンク用にサポートしていても良い。
【００５２】
・リソース割り当てタイプ０  −  ＲＢＧｓの整数を割り当てる
・リソース割り当てタイプ１  −  選択したＲＢＧ部分集合の中のＰＲＢｓを割り当てる
・リソース割り当てタイプ２  −  局在化または分散化されているＶＲＢｓを割り当てる
リソース割り当てタイプ０では、ＮＲＢＧ個のＲＢＧｓから任意の一つがＵＥに割り当てられる。ＵＥのリソース割り当て情報には、利用可能なＲＢＧ毎に１ビットであるＮＲＢＧビットから成るビットマップが含まれている。ビットマップのどのビットも、割り当てられているＲＢＧを示す「１」に設定されるか、割り当てられていないＲＢＧを示す「０」に設定される。（ＰＲＢ毎に１ビットにするのではなくて）ＲＢＧ毎に１ビットにすることによりシグナリングオーバーヘッドは減少する。但し、（ＰＲＢの細かい単位ではなくて）ＲＢＧの粗い単位でリソースが割り当てられることになる。
【００５３】
リソース割り当てタイプ１では、選択したＲＢＧ部分集合内のＰＲＢｓの任意の一つがＵＥに割り当てられる。ＵＥのリソース割り当て情報には、(i) 選択したＲＢＧ部分集合の指標と、(ii) 選択したＲＢＧ部分集合内のＰＲＢｓのビットマップとが含まれる。ビットマップは、どのＰＲＢｓがＵＥに割り当てられているのかを表示する。
【００５４】
リソース割り当てタイプ２では、連続して局在化または分散化されている一組のＶＲＢｓがＵＥに割り当てられる。指標ｎＶＲＢを有していて局在化されているＶＲＢが指標ｎＰＲＢを有しているＰＲＢに直接にマッピングされるのでｎＰＲＢ＝ｎＶＲＢである。指標がｎＶＲＢである分散されたＶＲＢは、ＶＲＢからＰＲＢへのマッピング関数ｆ（）に基づいて指標がｎＰＲＢであるＰＲＢにマッピングされるので、ｎＰＲＢ＝ｆ（ｎＶＲＢ）である。ＵＥのリソース割り当て情報には、(i) 局在化または分散化されているＶＲＢｓが割り当てられているのか否かの表示と、(ii) ＵＥに割り当てられる開始ＶＲＢの指標と、(iii) ＵＥに割り当てられる連続したＶＲＢｓの数とが含まれる。
【００５５】
リソース割り当てタイプ０、１、２は、「進化したユニバーサル地上無線アクセス（Ｅ−ＵＴＲＡ）、物理レイヤの手順（Evolved Universal Terrestrial Radio Access (E-UTRA); Physical layer procedures）」と言う表題の公に入手することのできる３ＧＰＰ  ＴＳ  ３６．２１３に記載されている。
【００５６】
リソース割り当てタイプ０におけるダウンリンクの許可およびリソース割り当てタイプ１におけるダウンリンクの許可はフォーマットが同じであり、１ビットタイプのフィールドにより互いに区別される。リソース割り当てタイプ２におけるダウンリンクの許可にはこの種のフィールドは含まれていない。
【００５７】
リソース割り当てタイプ０では、どのＲＢＧｓがＵＥに割り当てられているのかを示すために適切なサイズのビットマップが用いられる。ＲＢＧｓはＲＢＧサイズに依存している。普通のＵＥｓのＲＢＧサイズはＰで表され、例えば表１に示されているようなＤＬベースの帯域幅に基づいて決まる。先進的ＵＥｓのＲＢＧサイズはＰＡＤＶで表され、様々な方法で決まる。
【数５】
2013515452.tif 000008
【００５８】
第二の設計では、先進的ＵＥｓのＲＢＧサイズがＤＬ複合帯域幅に基づいて決まる。ＰＡＤＶを用いてＤＬ複合帯域幅の中のリソースを先進的ＵＥｓに割り当てる。ＰＡＤＶ／Ｐが整数値であるならば、先進的ＵＥｓのＲＢＧサイズは普通のＵＥｓのＲＢＧサイズの整数倍数である。これにより普通のＵＥｓや先進的ＵＥｓへのリソース割り当てが簡略化される。ＰＡＤＶ／Ｐが整数値でないならば、普通のＵＥｓに割り当てられたリソースと先進的ＵＥｓに割り当てられたリソースとの間で重複すなわち衝突および断片化の両者または一方が生じている可能性がある。ある設計では、ＰＡＤＶは端数を切り上げて最も近いＰの整数倍数の値にして重複および断片化の両者または一方を避けている。
【００５９】
第三の設計では、ＤＬベースキャリアのリソースを普通のＵＥｓおよび先進的ＵＥｓの両者または一方に割り当てるためにＰを使用し、セグメントのリソースを先進的ＵＥｓに割り当てるためにＰＡＤＶを使用している。どの設計でもスケジューラは重複および断片化の両者または一方を避けるために適切な制約の下でリソースの割り当てを行う。
【００６０】
ある設計では、例えば、図４Ａ〜図４Ｃに示すようにＤＬベースキャリアから始まってセグメントに至るまでＰＲＢｓに番号が付けられる。例えば、図４Ａに示すように、ＤＬベースキャリアには指標が０ないし２４である２５個のＰＲＢｓが含まれ、高位セグメントには指標が２５ないし３９である１５個のＰＲＢｓが含まれ、低位セグメントには指標が４０ないし５４である１５個のＰＲＢｓが含まれている。Ｐを用いてＤＬベースキャリアのＰＲＢｓを割り当て、ＰＡＤＶを用いて両セグメントのＰＲＢｓを割り当てる。ＤＬベースキャリアのＲＢＧサイズは２５個のＰＲＢｓでは２に等しい。１３個のＲＢＧｓがＤＬベースキャリアのために定義され、ＰＲＢの対（０，１）、（２，３）、…（２２，２３）、（２４）が含まれている。ＤＬ複合キャリアのＲＢＧサイズは４に等しい。これは、ＤＬベースキャリアのＲＢＧサイズの整数倍数である。８個のＲＢＧｓが両セグメントのために定義される。ＰＲＢセット（２５，２６，２７，２８）、…（４９，５０，５１，５２）、および（５３，５４）が含まれる。ベースキャリア内のＲＢＧｓは普通のＵＥｓおよび先進的ＵＥｓの両者または一方に割り当てられる。セグメントのＲＢＧｓは先進的ＵＥｓに割り当てられる。
【００６１】
別の設計では、セグメントから始まってＤＬベースキャリアに至るまでＰＲＢｓに番号が付けられる。例えば、低位のセグメントには０ないし１４の指標が割り振られている１５個のＰＲＢｓが含まれ、ＤＬベースキャリアには１５ないし３９の指標が割り振られている２５個のＰＲＢｓが含まれ、高位のセグメントには４０ないし５４の指標が割り振られている１５個のＰＲＢｓが含まれている。セグメントのＲＢＧサイズは４に等しい。４つのＲＢＧｓは低位セグメントのために定義され、ＲＢＧｓ（０，１，２，３）、…（１２，１３，１４）を含んでいる。別の４つのＲＢＧｓは高位セグメントのために定義され、ＲＢＧｓ（４０，４１，４２，４３）、…（５２，５３，５４）を含んでいる。ベースキャリアのＲＢＧサイズは２５個のＰＲＢｓのための２に等しい。１３個のＲＢＧｓはベースキャリアのために定義され、ＰＲＢの対（１５，１６）、（１７，１８）、…（３７，３８）、（３９）を含んでいる。この設計ではＤＬベースキャリアのＰＲＢ番号は普通のＵＥｓと先進的ＵＥｓとで別になる。
【数６】
2013515452.tif 000009
【００６２】
リソース割り当てタイプ２では、一組の連続していて局在化または分散化されているＶＲＢｓがＤＣＩフォーマット１Ａまたは１Ｂまたは１Ｄを用いて送られるダウンリンクの許可でＵＥに割り当てられる。ダウンリンクの許可には、割り当てられているＶＲＢｓが局在化または分散化されているのかどうかを示す１ビットのフラグが含まれている。
【００６３】
局在化したＶＲＢの割り当ての場合、１からＤＬシステム帯域幅によって決まる最大数までの任意の数の連続している局在化された種類のＶＲＢｓがＵＥに割り当てられる。割り当てられたＶＲＢｓは直接に普通のＵＥｓや先進的ＵＥｓに直ぐにも割り当てられるのでｎＰＲＢ＝ｎＶＲＢである。したがって、局在化されたＶＲＢｓは重複および断片化の両者または一方もなく普通のＵＥｓや先進的ＵＥｓに直ぐにも割り当てられる。
【００６４】
分散化されたＶＲＢの割り当てでは、分散されている種類の任意の数の連続したＶＲＢｓがＵＥに容易に割り当てられる。ＵＥのリソース割り当て情報には開始ＶＲＢの指標や幾つかの連続したＶＲＢｓが含まれる。割り当てられたＶＲＢｓは、Ｎｇａｐとして示されるギャップに依存するマッピング関数に基づいて連続していないＰＲＢｓにマッピングされる。表２に異なるＤＬシステム帯域幅のギャップ値を列挙する。
【表２】
2013515452.tif 000010
【００６５】
表２に示されているように６ないし４９個のＲＢｓのＤＬシステム帯域幅には、たった一つのギャップ値Ｎｇａｐ1しか定義されていない。ここで、Ｎｇａｐ＝Ｎｇａｐ1である。二つのギャップ値Ｎｇａｐ1およびＮｇａｐ２が５０ないし１１０個のＲＢｓのＤＬシステム帯域幅には定義されている。Ｎｇａｐは、ダウンリンクの許可に示されているようにＮｇａｐ1かＮｇａｐ２のどちらかに等しい。ＶＲＢｓからＰＲＢｓへのマッピング関数は前述の３６．２１１文書に記載されている。
【００６６】
ＤＬ基底帯域幅に基づいて決まるギャップをＮｇａｐとして表示し、ＤＬ複合帯域幅に基づいて決まるギャップをＮｇａｐ，ＡＤＶとして表示する。ＮｇａｐはＮｇａｐ，ＡＤＶに等しくない。この場合には、様々な方法を用いて分散ＶＲＢｓを普通のＵＥｓにマッピングしたり、分散ＶＲＢｓを先進的ＵＥｓにマッピングしたりする。
【００６７】
最初の設計では、Ｎｇａｐ，ＡＤＶはＮｇａｐの整数倍数として定義される。ＤＬ複合帯域幅の中の分散ＶＲＢｓは先進的ＵＥｓに割り当てられてＮｇａｐ，ＡＤＶに基づいてＤＬ複合帯域幅の中のＰＲＢｓにマッピングされる。ＤＬ基底帯域幅の中の分散ＶＲＢｓは普通のＵＥｓに割り当てられてＮｇａｐに基づいてＤＬ基底帯域幅の中のＰＲＢｓにマッピングされる。
【００６８】
第二の設計では、ＤＬベースキャリアの中の分散ＶＲＢｓのためにＮｇａｐが用いられ、セグメントの中の分散ＶＲＢｓのためにＮｇａｐ，ＡＤＶが用いられる。第三の設計では、スケジューラは、重複および断片化の両者または一方を避けるために適切な制約の下で作動する。例えば、スケジューラは幾つかの分散ＶＲＢｓを普通のＵＥｓに割り当てて分散ＶＲＢｓがマッピングされるＰＲＢｓを確定し、同じＰＲＢｓにマッピングされる先進的ＵＥｓに分散ＶＲＢｓを割り当てることを防止する。
【００６９】
ダウンリンク複合帯域幅では、ＰＲＢｓの番号付けは上に述べたようにベースキャリアから始まってセグメントまで延びている。これにより、普通のＵＥｓと先進的ＵＥｓとに関するＶＲＢからＰＲＢへのマッピングのずれが防止される。
【００７０】
アップリンクでのＨＡＲＱによるデータ伝送では普通のＵＥｓはＵＬベースキャリアの中のＰＵＳＣＨでデータを伝送し、先進的ＵＥｓはＵＬ複合キャリアの中のＰＵＳＣＨでデータを伝送する。ｅＮＢは、普通のＵＥｓや先進的ＵＥｓにより行われるデータ伝送用ＰＨＩＣＨに関するＡＣＫ情報を送信する。ある設計では、ＰＨＩＣＨに用いられるリソースがＤＬベースキャリアの中にあり、ＵＬ複合帯域幅に基づいて決まる。この設計では全ＵＬ複合帯域幅をアドレス指定するためにＰＨＩＣＨリソースが確実に供給される。別の設計では、ＰＨＩＣＨに用いられるリソースがＵＬ基底帯域幅に基づいて決まる。この設計であれば後方互換性を確保することができる。
【００７１】
ダウンリンクでのＨＡＲＱによるデータ伝送ではｅＮＢがダウンリンクの許可をＰＤＣＣＨで普通のＥＵｓや先進的ＵＥｓに送信し、スケジュールされているＵＥｓにＰＤＳＣＨでデータを送信する。スケジュールされているＵＥｓはＰＵＣＣＨでＡＣＫ情報をｅＮＢに送信する。あるＵＥに関するダウンリンクの許可は一つ以上の制御チャネル要素（ＣＣＥｓ：control channel elements）の中のＰＤＣＣＨで送信される。ここで、どのＣＣＥも９個のリソース要素を有している。ＡＣＫ情報をＰＵＣＣＨで送信するために前記のＵＥが使用するリソースはダウンリンクの許可を当該ＵＥに送信するのに用いた最初のＣＣＥに依存している。ある設計では、ｅＮＢはＤＬベースキャリアの中のＰＤＣＣＨでダウンリンクの許可をＵＥに送信する。したがって、ＡＣＫ情報を送信するためにＵＥｓが使用するリソースはＤＬベースキャリアに依存している。このような訳であるから先進的ＵＥｓは、ＡＣＫ情報の送信に使用するリソースを普通のＵＥｓと同じようにして決めることができる。
【００７２】
アップリンクでのデータ送信のために一組の連続したＶＲＢｓがあるＵＥに割り当てられる。そのＵＥに関するリソース割り当て情報はアップリンクの許可で送信される。この情報には、当該ＵＥに割り当てられている開始ＶＲＢ指標と幾つかのＶＲＢｓとが含まれている。割り当てられたＶＲＢｓは、アップリンクの許可の中の１ビットのＦＨフィールドにより示されているように周波数ホッピング（ＦＨ:frequency hopping）をしながらまたは周波数ホッピングをしないでＰＵＳＣＨのためのＰＲＢｓにマッピングされる。ある設計では、周波数ホッピングがＵＬベースキャリアと関連セグメントの両者に適用される。タイプ１のＰＵＳＣＨホッピングおよびタイプ２のＰＵＳＣＨホッピングと呼ぶことができ、先に述べた３６．２１１や３６．２１３の両文書に記載されている二種類の可能なＰＵＳＣＨホッピングの一つに基づいてＵＥはＰＵＳＣＨの周波数ホッピングを実行する。
【数７】
2013515452.tif 000011
【表３】
2013515452.tif 000012
【００７３】
タイプ２のＰＵＳＨＣホッピングではＵＥは、アップリンクの許可および前述の３６．２１１文書に記載されている既定のホッピングパターンに基づいて決まる一組のＰＲＢｓを使用する。ホッピングパターンはＵＬシステム帯域幅に依存している。
【００７４】
ある設計では、ＵＬベースキャリアおよび関連セグメントのために周波数ホッピングが別個に実行される。この設計では、ＵＬベースキャリアで作動している普通のＵＥｓとＵＬ複合キャリアで作動している先進的ＵＥｓとの衝突が防止される。ある設計では、セグメントが多数ある場合には全てのセグメントの帯域幅を合同して考慮するようにしている。
【００７５】
ある設計では、アップリンクの許可におけるホッピングビットの数はＵＬ複合帯域幅に基づいて決まる。ＵＬ基底帯域幅（またはセグメント帯域幅）が表３の小さい帯域幅カテゴリに入る場合には、ＵＬベースキャリア（または関連セグメント）の周波数ホッピングは最下位のホッピングビットのみに基づいて決まる。例えば、ＵＬ基底帯域幅が５０個のＲＢｓを含むことができ、セグメント帯域幅が２５個のＲＢｓを含むことができるのであれば、ＵＬ複合帯域幅は７５個のＲＢｓを含むことができる。ＵＬ複合帯域幅には７５個のＲＢｓがあるので２ホッピングビットをアップリンクの許可に用いることができる。そこで、アップリンクの許可を「１０」に設定することができる。また、ＵＬ基底帯域幅には５０個のＲＢｓがあるので２ホッピングビットをＵＬベースキャリアに用いることができる。そこで、アップリンクの許可を「１０」に等しくすることができる。セグメント帯域幅には２５個のＲＢｓがあるので１ホッピングビットをセグメントに用いることができる。アップリンクの許可を２ホッピングビットの最下位ビットである「０」に等しくすることができる。
【００７６】
別の設計では、アップリンクの許可に関するホッピングビットの数はＵＬ帯域幅に基づいて決まる。セグメント帯域幅が表３の小さい帯域幅のカテゴリに入る場合には、セグメントの周波数ホッピングはホッピングビットに施す論理積演算に基づいて決まる。特に、セグメントのホッピングビットは、(i) ＵＬベースキャリアのホッピングビットが「１１」に等しい場合には「１」に等しく、(ii) ＵＬベースキャリアのホッピングビットが「００」、「０１」、「１０」のいずれかに等しい場合には「０」に等しい。例えば、ＵＬ基底帯域幅が５０個のＲＢｓを有していて、セグメント帯域幅が２５個のＲＢｓを有しているものとする。この場合、ＵＬ基底帯域幅には５０個のＲＢｓがあるので２ホッピングビットをアップリンクの許可に用いることができ、アップリンクの許可を「１０」に設定することができる。セグメント帯域幅には２５個のＲＢｓがあるので１ホッピングビットをセグメントに用いることができ、「０」に等しくすることができる。
【数８】
2013515452.tif 000013
【００７７】
ＵＥは、ダウンリンクのチャネル品質を測定することができ、ＣＱＩ情報をｅＮＢに報告することができる。ある設計では、ＵＥは、ＵＬベースキャリア内のＰＵＣＣＨに割り当てられているリソースに関するＣＱＩ情報を送信することができる。ｅＮＢは、ダウンリンクによるデータ伝送にＵＥをスケジュールしたりＵＥのために一つ以上の変調符号化方式を選択したりするためなどにＣＱＩ情報を使用することができる。
【００７８】
ダウンリンクでＵＥは、全ＤＬシステム帯域幅のために広帯域ＣＱＩを報告したり、特定のサブバンドのためにサブバンドＣＱＩを報告したりすることができる。ＤＬシステム帯域幅を仕切って幾つかのサブバンドにしたり幾つかの帯域部分にしたりすることができる。サブバンドの数や帯域幅要素の数はＤＬシステム帯域幅に依存している。表４は、異なるＤＬシステム帯域幅に応じたサブバンドのサイズと帯域幅要素の数とを（どちらもＲＢｓの数で）示している。ＵＥは、与えられたＣＱＩの報告段階において特定の帯域幅要素で異なるサブバンドのサブバンドＣＱＩを報告することができる。ＵＥは、異なるＣＱＩの報告段階において異なる帯域幅要素でサブバンドのサブバンドＣＱＩを報告することができる。
【表４】
2013515452.tif 000014
【００７９】
最初の設計では、ＣＱＩの報告に関する先進的ＵＥｓのサブバンドサイズおよび帯域幅要素の数は、ＤＬ複合帯域幅に基づいて決まり、ＤＬベースキャリアとセグメントとの境界には無関係にＤＬベースキャリアおよびセグメントに適用される。先進的ＵＥのサブバンドサイズおよび帯域幅要素の数は、ＤＬ基底帯域幅に基づいて決まる普通のＵＥｓのサブバンドサイズおよび帯域幅要素の数と整合しない。この場合、先進的ＵＥｓのサブバンドＣＱＩおよび普通のＵＥｓのサブバンドＣＱＩはＲＢｓの異なる組みを包含する可能性がある。先進的ＵＥｓの特定のサブバンドのサブバンドＣＱＩは普通のＵＥｓの複数のサブバンドを含んでいる可能性があり、先進的ＵＥｓのサブバンドに種々の干渉が観察されるかも知れない。先進的ＵＥｓは先進的ＵＥｓのサブバンドで観察される様々な干渉をなくすようにスケジュールされている可能性がある。
【００８０】
ＣＱＩの報告に関する第二の設計では先進的ＵＥｓは、(i) ＤＬ基底帯域幅に基づいて決まる第一のサブバンドサイズおよび第一の数の帯域幅要素（ＪＢＡＳＥと表示する）を有していて、(ii) 全セグメントのセグメント帯域幅に基づいて決まる第二のサブバンドサイズおよび第二の数の帯域幅要素（ＪＳＥＧＭＥＮＴと表示する）を有している。セグメントは、１個のみのサブバンドと１個の帯域幅要素とを含むように定義することもできる。したがって、先進的ＵＥｓは総計でＪ＝ＪＢＡＳＥ＋ＪＳＥＧＭＥＮＴの帯域幅要素を有していることになる。先進的ＵＥｓは、ＤＬベースキャリア内のサブバンドの第一サブバンドサイズに基づいておよびセグメント内のサブバンドの第二サブバンドサイズに基づいてサブバンドＣＱＩを確定する。先進的ＵＥｓは、Ｊ帯域幅要素を巡回することにより異なる帯域幅要素のサブバンドのサブバンドＣＱＩを報告する。先進的ＵＥｓは、ＤＬベースキャリアおよびセグメントの両者の広帯域ＣＱＩを確定し、サブバンドＣＱＩと同じＣＱＩの報告段階または様々なＣＱＩの報告段階で広帯域ＣＱＩを報告する。
【００８１】
ＣＱＩの報告に関する第三の設計では、先進的ＵＥｓがセグメントの広帯域ＣＱＩのみを報告する。セグメントのサブバンドＣＱＩフィードバックを省略することにより生じるパフォーマンスの劣化はセグメント帯域幅が比較的小さければ僅かであるか無視することができるかのいずれかである。先進的ＵＥｓは、例えば、普通のＥＵｓと同じようにＤＬベースキャリアのサブバンドＣＱＩおよび広帯域ＣＱＩを報告する。
【００８２】
ＵＥは、ＵＥがＳＲＳを送信するように構成されているあるサブフレームの最後のシンボル期間でＵＥに割り当てられているサブキャリアのサウンディングリファレンスシグナル（ＳＲＳ：Sounding Reference Signal）を送信する。ｅＮＢは、アップリンクその他のチャネル測定にＳＲＳを用いることができる。ＵＥに関するＳＲＳの設定には、３ＧＰＰ  ＴＳ  ３６．２１１に記載されているセル固有のＳＲＳパラメータおよびＵＥ固有のＳＲＳパラメータが含まれる。これらのＳＲＳパラメータは、ＵＥによるＳＲＳ送信の周期性、ＵＥがＳＲＳの送信に使用する特定のサブフレーム、ＳＲＳ送信の継続時間（例えば、オフになるまでに一回または無期限に）、ＳＲＳ送信の帯域幅、ＳＲＳ送信用の周波数ホッピング帯域幅、ＳＲＳ送信に用いられるＰＲＢｓ、その他を示している。
【００８３】
ＳＲＳ送信は、ＵＬシステム帯域幅に依存している。特に、ＳＲＳ送信の帯域幅は（セルに固有のＳＲＳパラメータである）ＳＲＳ帯域幅構成ＣＳＲＳおよび（ＵＥに固有のＳＲＳパラメータである）ＳＲＳ帯域幅ＢＳＲＳにより決まる。表５は、ＳＲＳ帯域幅構成ＣＳＲＳおよびＳＲＳ帯域幅ＢＳＲＳの関数としての二種類のパラメータｍＳＲＳ，ｂおよびＮｂの値の一覧である。ここで、ｂ＝ＢＳＲＳである。ｍＳＲＳ，ｂは、ＳＲＳを送信するＲＢｓの数を表していて、ＳＲＳ送信の周波数範囲を確定する。Ｎｂは、ＳＲＳの送信にどのサブキャリアを用いるのかを確定したり、ＳＲＳ送信の周波数細分性を確定したりするために用いられる。
【００８４】
ＳＲＳ送信に関連した様々なパラメータが前に述べた３６．２１１文書に記載されている。表５は、６ないし４０個のＲＢｓのＵＬシステム帯域幅用である。別のＵＬシステム帯域幅には別の表が３ＧＰＰ  ＴＳ  ３６．２１１に与えられている。
【表５】
2013515452.tif 000015
【００８５】
ＳＲＳ送信の第一の設計では、先進的ＵＥｓはＵＬ複合帯域幅に基づいてＳＲＳを送信する。ＳＲＳ送信のパラメータはＵＬ複合帯域幅に基づいて決まる。パラメータｍＳＲＳ，ｂおよびＮｂは、ＵＬ基底帯域幅とＵＬ複合帯域幅とで相違している。したがって、ホッピングが可能になると、先進的ＵＥｓのＳＲＳ送信は普通のＵＥｓのＳＲＳ送信と衝突する。先進的ＵＥｓと普通のＵＥｓが異なる時間段階で（例えば、異なるサブフレームで）ＳＲＳを送信するように構成することによりこの衝突を避けることができる。
【００８６】
ＳＲＳ送信の第二の設計では先進的ＵＥｓは、あるＳＲＳ構成をＵＬベースキャリア用に有していて、別のＳＲＳ構成をセグメント用に有している。ＵＬベースキャリア内でのＳＲＳ送信パラメータはＵＬ基底帯域幅に基づいて決まる。セグメント内でのＳＲＳ送信パラメータはセグメント帯域幅に基づいて決まる。この設計では先進的ＵＥｓによるＳＲＳ送信の構成に関するする自由度が増す。先進的ＵＥは、ＵＬベースキャリアおよびセグメントによるＳＲＳ送信のために同じか異なる時間段階、同じか異なる周期性、同じか異なる周波数範囲、同じか異なる周波数細分性で構成される。先進的ＵＥは、ＳＲＳ送信毎にシングルキャリア波形を維持するために、ある時間段階ではＵＬベースキャリアでＳＲＳを送信し、別の時間段階ではセグメントでＳＲＳを送信する。
【００８７】
ＳＲＳ送信に関する第三の設計では、ＵＬ基底帯域幅に基づいてＵＬベースキャリアのノードが定義され、セグメント帯域幅または複合帯域幅に基づいてセグメントのノードが定義される。どのノードも与えられた時間段階でＳＲＳを送信する一組のサブキャリアに対応している。セグメントのノードは、所定のマッピングに基づいてＵＬベースキャリアのノードにマッピングされる。先進的ＵＥは、異なる時間段階でＵＬベースキャリアの異なるノードに関するＳＲＳ送信を行う。先進的ＵＥは、ＵＬベースキャリアの与えられたノードに関するＳＲＳ送信を行う度に、セグメントの対応するノードに関するＳＲＳ送信も行うことになる。この設計は、先進的ＵＥｓのＳＲＳ送信と普通のＵＥｓのＳＲＳ送信との衝突を避けることができる。先進的ＵＥｓはＵＬ複合帯域幅で別の方法によりＳＲＳ送信を行うこともできる。
【００８８】
図６は、通信装置６００の設計のブロック図を示している。装置６００は、ＵＥやネットワークエンティティ（例えば、ｅＮＢまたは基地局）の一部である。装置６００ではキャリアエクステンション確定モジュール６１２がＵＥの構成情報を受信して、ダウンリンクおよびアップリンクの両者または一方のためにＵＥがキャリアエクステンションを入手できるかどうかを確定し、キャリアエクステンションをＵＥが利用することのできるリンク毎にベースキャリアおよび一つ以上のセグメントを確定する。帯域幅確定モジュール６１４は、キャリアエクステンションがＵＥ用に設定されているリンク毎にベースキャリアの基底帯域幅ならびにベースキャリアおよびセグメントの複合帯域幅を確定する。帯域幅確定モジュール６１４は、各リンクのセグメントに関するセグメント帯域幅も確定する。
【００８９】
作動パラメータ確定モジュール６１６は、基底帯域幅および複合帯域幅をリンク毎に受信して、基底帯域幅および複合帯域幅に基づいてＵＥの作動パラメータをリンク毎に一つ以上確定する。一つ以上のパラメータには、一つ以上のＲＢＧサイズ、ダウンリンクのリソース割り当てに関する一つ以上のビットマップ、ダウンリンクでの周波数ホッピングのための一つ以上のギャップ値、アップリンクでの周波数ホッピングのための一つ以上のホッピングビット、ＣＱＩの報告をするための一つ以上のサブバンドおよび一つ以上の帯域幅要素の両者または一方、ＳＲＳ送信用の一つ以上のＳＲＳ構成、その他の作動パラメータが含まれている。
【００９０】
通信モジュール６１８は一つ以上の作動パラメータをモジュール６１６から受信して、受信した作動パラメータに基づく通信をＵＥのためにサポートしている。例えばモジュール６１８は、ダウンリンクおよびアップリンクの両者または一方でのデータ送信のために作動パラメータに基づいてリソースを確定する。モジュール６１８は作動パラメータに基づいてダウンリンクおよびアップリンクの両者または一方で制御情報やＳＲＳを送信するためのリソースも確定する。
【００９１】
図７は、通信プロセス７００の設計を示す。ある設計では、プロセス７００はＵＥの通信をサポートするために基地局またはｅＮＢで実行される。別の設計では、プロセス７００は基地局と通信するためにＵＥで実行される。プロセス７００は何らかの別のエンティティ（例えば、図１のネットワークコントローラ１３０）により実行されることもある。
【００９２】
ＵＥにとって通信に利用可能なベースキャリアおよび少なくとも一つのセグメントを確定する（ブロック７１２）。ベースキャリアおよび少なくとも一つのセグメントの複合帯域幅に基づいてＵＥ用の少なくとも一つの作動パラメータを確定する（ブロック７１４）。ＵＥ用の少なくとも一つの作動パラメータに基づいて通信が行われる（ブロック７１６）。
【００９３】
ある設計では、ダウンリンクでキャリアを拡張するためにベースキャリアおよび少なくとも一つのセグメントがダウンリンク伝送に用いられる。別の設計では、アップリンクでキャリアを拡張するためにベースキャリアおよび少なくとも一つのセグメントがアップリンク伝送に用いられる。
【００９４】
少なくとも一つの作動パラメータがダウンリンクにおけるＵＥのリソース割り当てに関連している。ある設計では、ベースキャリアの基底帯域幅に基づいてＲＢＧサイズが決まる。複合帯域幅およびＲＢＧサイズに基づいてビットマップが決まる。少なくとも一つの作動パラメータがビットマップを含んでいる。ＵＥに割り当てられるリソースブロックがビットマップに基づいて決まる。別の設計では、複合帯域幅に基づいてＲＢＧサイズが決まる。少なくとも一つの作動パラメータがＲＢＧサイズを含んでいる。ＵＥに割り当てられるリソースブロックがＲＢＧサイズに基づいて決まる。さらに別の設計では、基底帯域幅に基づいて第一ＲＢＧサイズが決まり、複合帯域幅に基づいて第二ＲＢＧサイズが決まる。少なくとも一つの作動パラメータが第二ＲＢＧサイズを含んでいる。ベースキャリアのリソースブロックが第一ＲＢＧサイズに基づいてＵＥに割り当てられる。少なくとも一つのセグメントのリソースブロックが第二ＲＢＧサイズに基づいてＵＥに割り当てられる。第二ＲＢＧサイズは第一ＲＢＧサイズの整数倍数であることもあればそうでないこともある。
【００９５】
ある設計では、複合帯域幅に基づいてギャップが決まり、少なくとも一つの作動パラメータがギャップを含んでいる。一組のＶＲＢｓがＵＥに割り当てられてギャップに基づいて一組のＰＲＢｓにマッピングされる。別の設計では、基底帯域幅に基づいて第一ギャップが決まり、複合帯域幅に基づいて第二ギャップが決まる。少なくとも一つの作動パラメータが第二ギャップを含んでいる。ＶＲＢｓは、第一ギャップに基づいてベースキャリアのＰＲＢｓにマッピングされる。ＶＲＢｓは、第二ギャップに基づいて少なくとも一つのセグメントのＰＲＢｓにマッピングされる。ある設計では、第二ギャップが第一ギャップの整数倍数である。
【００９６】
ある設計では、ベースキャリアおよび少なくとも一つのセグメントがアップリンク用である。ダウンリンクのＰＨＩＣＨ用リソースがＵＬ複合帯域幅に基づいて決まる。別の設計では、ベースキャリアおよび少なくとも一つのセグメントがダウンリンク用である。ダウンリンクの許可はＤＬベースキャリアで送信されたＰＤＣＣＨから受信される。ＰＤＣＣＨの送信に用いられた第一ＣＣＥが確定される。アップリンクでＡＣＫ情報を送信するためのリソースが第一ＣＣＥに基づいて定まる。
【００９７】
少なくとも一つの作動パラメータが周波数ホッピングに関連している。ある設計では、周波数ホッピングがベースキャリア内のリソースのためにベースキャリア内で行われる。少なくとも一つのセグメント内のリソースのために少なくとも一つのセグメント内で周波数ホッピングが行われる。
【００９８】
ある設計では、少なくとも一つの周波数ホッピングモードでＵＥにシグナリングをする幾つかのホッピングモードが複合帯域幅に基づいて決まる。少なくとも一つのパラメータがホッピングビットの数を含んでいる。ベースキャリア用の第一周波数ホッピングビットが少なくとも一つのホッピングビットの少なくとも第一部分集合に基づいて決まる。少なくとも一つのセグメントの第二周波数ホッピングモードが少なくとも一つのホッピングビットの少なくとも第二部分集合に基づいて決まる。別の設計では、ホッピングビットの数は基底帯域幅に基づいて決まる。ベースキャリア用の第一周波数ホッピングモードおよび少なくとも一つのセグメント用の第二周波数ホッピングモードは少なくとも一つのホッピングビットに基づいて決まる。
【００９９】
少なくとも一つの作動パラメータがＣＱＩの報告に関連している。ある設計では、複合帯域幅に基づいてサブバンドサイズが決まり、少なくとも一つの作動パラメータがサブバンドサイズを含んでいる。サブバンドサイズのサブバンドのためにＣＱＩ情報が得られる（例えば、ＵＥにより決まるかｅＮＢにより受信される）。別の設計では、基底帯域幅に基づいて第一サブバンドサイズが決まる。複合帯域幅または少なくとも一つのセグメントのセグメント帯域幅に基づいて第二サブバンドが決まる。少なくとも一つの作動パラメータが第二サブバンドサイズを含んでいる。ベースキャリア内の第一サブバンドサイズのサブバンドのために第一ＣＱＩ情報が得られる。少なくとも一つのセグメント内の第二サブバンドサイズのサブバンドのために第二ＣＱＩ情報が得られる。
【０１００】
ある設計では、第一の数の帯域幅要素が基底帯域幅に基づいて決まる。第二の数の帯域幅要素がセグメント帯域幅に基づいて決まる。第三の数の帯域幅要素が帯域幅要素の第一および第二の数に基づいて決まる。第三の数の帯域幅要素に関するＣＱＩ情報が得られる。
【０１０１】
少なくとも一つの作動パラメータがＳＲＳ送信に関連している。ある設計では、複合帯域幅に基づいてＳＲＳ送信帯域幅が決まる。少なくとも一つの作動パラメータがＳＲＳ帯域幅を含んでいる。ＳＲＳ帯域幅に基づいてＳＲＳが送受信される。別の設計では、ベースキャリア用に第一ＳＲＳ構成が決まり、少なくとも一つのセグメント用に第二ＳＲＳ構成が決まる。第一ＳＲＳ構成に基づいてＳＲＳがベースキャリアで送受信される。第二ＳＲＳ構成に基づいて少なくとも一つのセグメントでＳＲＳが送受信される。
【０１０２】
ある設計では、ベースキャリアおよび少なくとも一つのセグメントのリソースブロックに番号付けが行われるが、図４Ａないし図４Ｃに示すように番号付けは、ベースキャリアのリソースブロックから始まって少なくとも一つのセグメントのリソースブロックに至るまで行われる。この設計では、リソースの割り当てに際して生じる虞のある重複化および断片化の両者または一方を軽減することができる。
【０１０３】
ある設計では、例えば、図２や図３に示すようにベースキャリアが制御領域とデータ領域とを含んでいる。少なくとも一つのセグメントは、データ領域の拡張部を有しているが制御領域を有していない。
【０１０４】
ある設計では、ベースキャリアおよび少なくとも一つのセグメントがＵＥによりシングルキャリアと見なされる。ある設計では単一の許可によりベースキャリアまたは少なくとも一つのセグメントまたは両者のリソースがＵＥに割り当てられる。同じＨＡＲＱプロセス、同じ伝送モード、その他をベースキャリアおよび少なくとも一つのセグメントの両者に適用することができる。
【０１０５】
図８は、ネットワークエンティティ（例えば、基地局やｅＮＢ）による通信をサポートするためのプロセス８００の設計を示している。通信に利用することのできるベースキャリアおよび少なくとも一つのセグメントが確定される（ブロック８１２）。第一または普通のＵＥ用の第一作動パラメータがベースキャリアの基底帯域幅に基づいて確定される（ブロック８１４）。第二または先進的ＵＥのための第二作動パラメータがベースキャリアと少なくとも一つのセグメントとの複合帯域幅に基づいて確定される（ブロック８１６）。第一作動パラメータに基づいて第一ＵＥとの通信が行われる（ブロック８１８）。第二作動パラメータに基づいて第二ＵＥとの通信が行われる（ブロック８２０）。
【０１０６】
ある設計では、基底帯域幅に基づいて第一ＲＢＧサイズが定まるが、これが第一作動パラメータに対応している。複合帯域幅に基づいて第二ＲＢＧサイズが定まるが、これが第二作動パラメータに対応している。第一ＲＢＧサイズに基づいてリソースブロックが基地局により第一ＵＥに割当てられる。第二ＲＢＧサイズに基づいてリソースブロックが基地局により第二ＵＥに割当てられる。別の設計では、基底帯域幅に基づいてＲＢＧサイズが定まる。第一ＵＥのための第一ビットマップが基底帯域幅およびＲＢＧサイズに基づいて定まる。これが第一作動パラメータに対応している。第二ＵＥのための第二ビットマップが複合帯域幅およびＲＢＧサイズに基づいて定まる。これが第二作動パラメータに対応している。割り当てられたリソースブロックは第一ビットマップに基づいて第一ＵＥにシグナリングされる。割り当てられたリソースブロックは第二ビットマップに基づいて第二ＵＥにシグナリングされる。
【０１０７】
ある設計では、第一作動パラメータに対応している第一ギャップを基底帯域幅に基づいて基地局が確定する。第二作動パラメータに対応している第二ギャップが複合帯域幅に基づいて確定される。第一組のＶＲＢｓが第一ＵＥに割り当てられて、第一ギャップに基づいて第一組のＰＲＢｓにマッピングされる。第二組のＶＲＢｓが第二ＵＥに割り当てられて、第二ギャップに基づいて第二組のＰＲＢｓにマッピングされる。
【０１０８】
ある設計では、ベースキャリアのリソースのためにベースキャリア内で周波数ホッピングが行われる。少なくとも一つのセグメントのリソースのために少なくとも一つのセグメント内で周波数ホッピングが行われる。
【０１０９】
ある設計では、基底帯域幅に基づいて第一周波数ホッピングモードを第一ＵＥにシグナリングするための第一の数のホッピングビットを基地局が確定する。第一の数のホッピングビットは第一作動パラメータに対応している。複合帯域幅に基づいて第二周波数ホッピングモードを第二ＵＥにシグナリングするための第二の数のホッピングビットを基地局が確定する。第二の数のホッピングビットは第二作動パラメータに対応している。基地局は、第一の数のホッピングビットに基づいて第一ＵＥの第一周波数ホッピングモードを確定する。第二ＵＥの第二周波数ホッピングモードが第二の数のホッピングビットに基づいて確定される。
【０１１０】
ある設計では、第一作動パラメータに対応している第一サブバンドサイズを基底帯域幅に基づいて基地局が確定する。第二サブバンドサイズが複合帯域幅に基づいて確定される。第二サブバンドサイズは第二作動パラメータに対応している。第一サブバンドサイズに基づいて第一ＵＥが確定する第一ＣＱＩ情報を基地局が受信する。第二サブバンドサイズに基づいて第二ＵＥが確定する第二ＣＱＩ情報も受信する。
【０１１１】
ある設計では、帯域幅要素の第一の個数を基底帯域幅に基づいて基地局が確定する。帯域幅要素の第二の個数はセグメント帯域幅か複合帯域幅に基づいて確定される。帯域幅要素の第三の個数は帯域幅要素の第一および第二の個数に基づいて確定される。帯域幅の第三の個数のためにＣＱＩ情報が第二ＵＥから受信される。
【０１１２】
ある設計では、第一作動パラメータに対応している第一ＳＲＳ帯域幅を基底帯域幅に基づいて基地局が確定する。複合帯域幅に基づいて第二ＳＲＳ帯域幅が確定される。これは、第二作動パラメータに対応している。第一ＳＲＳ帯域幅での第一ＳＲＳ伝送が第一ＵＥから受信される。第二ＳＲＳ帯域幅での第二ＳＲＳ伝送が第二ＵＥから受信される。
【０１１３】
ある設計では、ベースキャリア用の第一ＳＲＳ構成を基地局が確定する。少なくとも一つのセグメント用に第二ＳＲＳ構成が確定される。第一ＳＲＳ構成に基づいて第一ＳＲＳ伝送が第二ＵＥによりベースキャリアで行われる。第二ＳＲＳ構成に基づいて第二ＳＲＳ伝送が第二ＵＥにより少なくとも一つのセグメントで行われる。
【０１１４】
第一および第二の両作動パラメータの典型的な設計を以上に説明した。第一および第二の両作動パラメータは通信の別の特徴にも関連していて、既に述べたように別の方法でも確定することができる。
【０１１５】
図９は、基地局またはｅＮＢ１１０およびＵＥ１２０の設計のブロック図を示している。どちらも図１の基地局またはｅＮＢｓの一つとＵＥｓの一つである。基地局１１０はＴ本のアンテナ９３４ａないし９３４ｔを有している。ＵＥ１２０はＲ本のアンテナ９５２ａないし９５２ｒを有している。ここで、一般にＴ≧１およびＲ≧１である。
【０１１６】
基地局１１０では、伝送プロセッサ９２０が一台以上のＵＥｓのためにデータソース９１２からデータを受信し、ＵＥのために選択された一つ以上の変調や符号化の方式に基づいてＵＥ毎にデータを処理（例えば、符号化や変調）し、全ＵＥｓにデータシンボルを提供する。伝送プロセッサ９２０は、制御情報（例えば、許可、設定情報、その他）の処理も行って制御シンボルを提供する。伝送プロセッサ９２０は、同期シグナルやリファレンスシグナルのためにリファレンスシンボルも生成する。送信（ＴＸ）マルチ入力マルチ出力（ＭＩＭＯ）プロセッサ９３０はデータシンボルおよび制御シンボルおよび（該当する場合には）リファレンスシンボルの全てまたはいずれかをプリコードしてＴ本の出力シンボルストリームをＴ個の変調器（ＭＯＤ）９３２ａないし９３２ｔに供給する。個々の変調器９３２は出力シンボルストリームを（例えば、ＯＦＤＭ、その他用に）処理して出力サンプルストリームを取得する。個々の変調器９３２は出力サンプルストリームをさらに調整して（例えば、アナログに変換したり、フィルタリングしたり、増幅したり、アップコンバートしたりして）ダウンリンクシグナルを生成する。変調器９３２ａないし９３２ｔからのＴ個のダウンリンクシグナルはＴ本のアンテナ９３４ａないし９３４ｔによりそれぞれ送信される。
【０１１７】
ＵＥ１２０では、Ｒ本のアンテナ９５２ａないし９５２ｒでＴ個のダウンリンクシグナルを基地局１１０から受信する。個々のアンテナ９５２は受信したシグナルを関連付けられている復調器（ＤＥＭＯＤ）９５４に供給する。個々の復調器９５４は受信したシグナルを調整して（例えば、フィルタリングしたり、増幅したり、ダウンコンバートしたり、デジタル化したりして）サンプルを取得し、このサンプルを（例えば、ＯＦＤＭ、その他用に）さらに処理して受信したシンボルを取得する。ＭＩＭＯ検出器９６０が受信したシンボルを全ての復調器９５４から取得して（該当する場合には）取得したシンボルにＭＩＭＯ検出を施し、検出したシンボルを供給する。受信プロセッサ９７０は検出したシンボルを処理してＵＥ１２０用の復号化されたデータをデータシンク９７２に供給し、復号化された制御情報をコントローラまたはプロセッサ９９０に供給する。
【０１１８】
アップリンクにおいてＵＥ１２０ではデータソース９７８からのデータ、コントローラまたはプロセッサ９９０からの制御情報（例えば、ＡＣＫ情報、ＣＱＩ情報、その他）、リファレンスシグナルが送信プロセッサ９８０により処理され、該当する場合にはＴＸ  ＭＩＭＯプロセッサ９８２によりプリコードされ、変調器９５４ａないし９５４ｒによりさらに処理されて基地局１１０に送信される。基地局１１０では、ＵＥ１２０からのアップリンクシグナルがアンテナ９３４により受信されて、復調器９３２により処理され、該当する場合にはＭＩＭＯ検出器９３６により検出され、受信プロセッサ９３８によりさらに処理されてＵＥ１２０が送信したデータおよび制御情報が回復される。プロセッサ９３８は回復されたデータをデータシンク９３９に供給し、回復された制御情報をコントローラまたはプロセッサ９４０に供給する。
【０１１９】
コントローラまたはプロセッサ９４０および９９０は基地局１１０およびＵＥ１２０で演算を管理する。プロセッサ９４０および他のプロセッサの両者または一方と基地局１１０のモジュールとが図７のプロセス７００、図８のプロセス８００、ここに記載した技術のためのその他のプロセスの全てまたはいずれかの実行または管理をする。プロセッサ９００および他のプロセッサの両者または一方とＵＥ１２０のモジュールとが図７のプロセス７００およびここに述べた技術のためのその他のプロセスの両者または一方の実行または管理をする。メモリ９４２が基地局１１０のためにメモリ９９２がＵＥ１２０のためにそれぞれデータやプログラムコードを格納する。スケジューラ９４４がダウンリンクやアップリンクでのデータ伝送のためにＵＥ１２０や他のＵＥｓのスケジューリングをする。プロセッサ９４０、スケジューラ９４４、他のプロセッサの全てまたはいずれかと基地局１１０のモジュールが図６のモジュール６００を実現する。プロセッサ９００および他のプロセッサの両者または一方とＵＥ１２０のモジュールも図６のモジュール６００を実現する。
【０１２０】
ある構成では、ＵＥ１２０が通信に利用することのできるベースキャリアと少なくとも一つのセグメントとを確定する手段、ベースキャリアと少なくとも一つのセグメントとの複合帯域幅に基づいてＵＥ１２０用の少なくとも一つの作動パラメータを確定する手段、ＵＥ１２０用の少なくとも一つの作動パラメータに基づいて通信をする手段を基地局１１０およびＵＥ１２０の両者または一方が有している。
【０１２１】
ある構成では、ベースキャリアおよび少なくとも一つのセグメントを通信用に確定する手段、ベースキャリアの基底帯域幅に基づいて第一ＵＥ用の第一作動パラメータを確定する手段、ベースキャリアと少なくとも一つのセグメントとの複合帯域幅に基づいて第二ＵＥ用の第二作動パラメータを確定する手段、第一作動パラメータに基づいて第一ＵＥと通信をする手段、第二作動パラメータに基づいて第二ＵＥと通信をする手段を基地局１１０が有している。
【０１２２】
ある観点の下では前述の手段は、基地局のプロセッサ９２０、９３８、９４０の全てまたはいずれかとＵＥ１２０のプロセッサ９７０、９８０、９９０の全てまたはいずれかとの両者または一方であり、いずれの場合でもどのプロセッサも前述のように手段として記載されている機能を実行するように構成されていなければならない。別の観点の下では前述の手段は、前述のように手段として記載されている機能を実行するように構成されている１個以上のモジュールか任意の装置である。
【０１２３】
種々様々の異なるテクノロジーやテクニックを用いて情報やシグナルを表現することができることをこの技術分野で通常の知識を有する当業者であれば理解している。例えば、これまでの説明で使用したデータ、命令、指令、情報、シグナル、ビット、シンボル、チップは電圧、電流、電磁波、磁場または磁粒、光場または光粒、これらの任意の組み合わせにより表現することができる。
【０１２４】
以上の開示に関連して記載した論理ブロックやモジュールや回路やアルゴリズムの諸工程に関する様々な例は電子ハードウェア、コンピュータソフトウェア、両者の組合せで実現することができることは当業者であればさらに理解している。ハードウェアとソフトウェアとの交換可能性を明確に例示するためにコンポーネント、ブロック、モジュール、回路、工程に関する様々な例が一般に機能面から上に記載されている。このような機能をハードウェアで実現するのかそれともソフトウェアで実現するのかは特定の用途やシステム全体に課されている設計上の制約に依存している。当業者であればここに記載した機能を特定の用途毎に様々な方法で実現することができるが、実現に関するこのような確定がここに開示されている範囲からの離脱を引き起こしていると解釈してはならない。
【０１２５】
以上の開示に関連して記載した論理ブロック、モジュール、回路の様々な例はここに記載した機能を実行するように構成されている汎用プロセッサ、デジタルシグナルプロセッサ（ＤＳＰ）、特定用途向け集積回路（ＡＳＩＣ）、書替え可能ゲートアレイ（ＦＰＧＡ）その他の書替え可能論理装置、個別ゲートまたはトランジスタ論理回路、離散的ハードウェアコンポーネント、これらの任意な組合せで実現したり実施したりすることができる。汎用プロセッサはマイクロプロセッサで構わない。あるいは、汎用プロセッサは任意の通常のプロセッサ、コントローラ、マイクロプロセッサ、状態装置のいずれでも良い。プロセッサは計算装置の組合せとして実現しても良い。例えば、ＤＳＰとマイクロプロセッサとの組み合わせ、複数台のプロセッサ、コアとした一台のＤＳＰと組み合わせた一台以上のマイクロプロセッサ、その他の類似した構成で実現することができる。
【０１２６】
以上の開示との関連で記載した方法やアルゴリズムの諸工程はプロセッサにより実行されるソフトウェアモジュールまたはハードウェアあるいは両者の組み合わせとして直接に実現することができる。ソフトウェアモジュールはＲＡＭ記憶装置、フラッシュメモリ、ＲＯＭ記憶装置、ＥＰＲＯＭ記憶装置、レジスタ、ハードディスク、取り外し可能ディスク、ＣＤ−ＲＯＭ、この技術分野で知られている他の形式の記憶媒体に常駐させても良い。典型的な記憶媒体がプロセッサに連結されているのでプロセッサは記憶媒体から情報を読み取ったり記憶媒体に情報を書き込んだりすることができる。あるいは、記憶媒体はプロセッサと一体でも構わない。プロセッサと記憶媒体がＡＳＩＣに内蔵されていても良い。このＡＳＩＣが使用者の端末に内蔵されていても良い。あるいは、プロセッサと記憶媒体とが離散的コンポーネントとして使用者の端末に組み込まれていても良い。
【０１２７】
一つ以上の典型的な設計では、上に述べた諸機能がハードウェア、ソフトウェア、ファームウェア、これらの任意の組み合わせとして実現されている。ソフトウェアとして実現する場合には、諸機能は一つ以上の命令やコードとしてコンピュータ可読媒体に格納されるか伝送されるかする。コンピュータ可読媒体にはコンピュータ記憶媒体とコンピュータプログラムを一方から他方に移すのに容易な任意の媒体を含む通信媒体とが含まれる。記憶媒体は、汎用や専用のコンピュータがアクセスすることのできる任意の利用可能な媒体で構わない。限定ではなくて飽くまでも例としてそのような可読媒体にはＲＡＭ、ＲＯＭ、ＥＥＰＲＯＭ、ＣＤ−ＲＯＭまたはその他の光ディスク記憶装置、磁気ディスク記憶装置またはその他の磁気記憶装置が含まれる他に、所望のプログラムコード手段を命令やデータ構造の形式で保持したり記憶したりすることができて汎用や専用のコンピュータあるいは汎用や専用のプロセッサがアクセスすることのできる任意の他の媒体が含まれる。さらに、どのような接続もコンピュータ可読媒体と適切に呼ぶことができる。例えば、ウェブサイト、サーバー、他の遠隔ソースから同軸ケーブル、光学繊維ケーブル、撚線対、デジタル加入者回線（ＤＳＬ）を用いてソフトウェアが送信される場合には、同軸ケーブル、光学繊維ケーブル、撚線対、ＤＳＬが媒体の定義に含まれる。ここで使用しているディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【０１２８】
ここに開示した実施態様に関する先の記載はこの技術分野で通常の知識を有する者がこの開示を実施したり使用したりすることができるようにするために提示したものである。当業者であればこれらの実施態様に様々な修正を施すことは容易であり、ここに示した一般的な諸原理は開示の神髄や範囲から逸脱することなく別の変種に適用することができる。したがって本開示は、ここに説明した例や設計に限定されることが意図されているのではなくて、ここに開示した諸原理や新規な諸特徴に一致する最も広い範囲に合致することが意図されている。
【０１２９】
以下に示す範囲を権利として請求する。
【図１】
2013515452.tif 000016
【図２】
2013515452.tif 000017
【図３】
2013515452.tif 000018
【図４Ａ】
2013515452.tif 000019
【図４Ｂ】
2013515452.tif 000020
【図４Ｃ】
2013515452.tif 000021
【図５Ａ】
2013515452.tif 000022
【図５Ｂ】
2013515452.tif 000023
【図６】
2013515452.tif 000024
【図７】
2013515452.tif 000025
【図８】
2013515452.tif 000026
【図９】
2013515452.tif 000027
【国際調査報告】
2013515452.tif 000028
2013515452.tif 000029